(57)【要約】【課題】  新しい印刷媒体に関する媒体情報を容易に印刷装置へ登録する印刷システム、印刷データ編集装置、印刷装置を提供する。【解決手段】  印刷装置のロール紙ユニットセット位置に設けられているユニット検出スイッチの信号が検出され（Ｓ４）、検出された信号が示している値が媒体情報記憶エリアに記憶されていない場合には、新しいロール紙ユニット７０であると判断されて（Ｓ７：ＹＥＳ）、パーソナルコンピュータ２００へ不足要求情報が送信される（Ｓ８）。そして、媒体情報を受信したら（Ｓ１２：ＹＥＳ）、媒体情報取得処理が行われる（Ｓ１３）。この媒体情報取得処理では、媒体情報記憶エリアに受信した媒体情報が記憶される。【選択図】  図１２
2005258858.tif 000002
【特許請求の範囲】
【請求項１】
印刷装置で印刷を行うための印刷データを作成する印刷データ編集装置と印刷装置とを接続した印刷システムであって、
前記印刷データ編集装置は、
前記印刷装置で印刷される被印刷媒体に関する媒体情報を記憶する編集装置側媒体情報記憶手段と、
当該編集装置側媒体情報記憶手段に記憶されている前記媒体情報を前記印刷装置へ送信する編集装置側媒体情報送信手段と
を備え、
前記印刷装置は、
前記媒体情報を記憶する印刷装置側媒体情報記憶手段と、
前記編集装置側媒体情報送信手段から送信された前記媒体情報を受信する印刷装置側媒体情報受信手段と、
当該印刷装置側媒体情報受信手段が受信した前記媒体情報を前記印刷装置側媒体情報記憶手段に記憶させる媒体情報記憶制御手段と
を備えたことを特徴とする印刷システム。
【請求項２】
前記印刷装置は、
当該印刷装置に装着された被印刷媒体の種類を検出する被印刷媒体検出手段と、
当該被印刷媒体検出手段により検出された種類の被印刷媒体の前記媒体情報が前記印刷装置側媒体情報記憶手段に記憶されているか否かを判断する検出媒体判断手段と、
当該検出媒体判断手段により記憶されていないと判断された場合に、全ての媒体情報を要求する全件要求情報を前記印刷データ編集装置へ送信する全件要求情報送信手段と
を備え、
前記印刷データ編集装置は、
前記全件要求情報送信手段から送信された前記全件要求情報を受信する全件要求情報受信手段と、
当該全件要求情報受信手段が前記全件要求情報を受信した場合に、前記編集装置側媒体情報送信手段により、前記編集装置側媒体情報記憶手段に記憶されている前記媒体情報の全件を送信する全件媒体情報送信制御手段と
を備えたことを特徴とする請求項１に記載の印刷システム。
【請求項３】
前記印刷装置は、
当該印刷装置に装着された被印刷媒体の種類を検出する被印刷媒体検出手段と、
当該被印刷媒体検出手段により検出された種類の被印刷媒体の前記媒体情報が前記印刷装置側媒体情報記憶手段に記憶されているか否かを判断する検出媒体判断手段と、
当該検出媒体判断手段により記憶されていないと判断された場合に、記憶されていない媒体情報である不足媒体情報を要求する不足要求情報を前記印刷データ編集装置へ送信する不足要求情報送信手段と
を備え、
前記印刷データ編集装置は、
前記不足要求情報送信手段から送信された前記不足要求情報を受信する不足要求情報受信手段と、
当該不足要求情報受信手段が受信した前記不足要求情報で要求されている前記不足媒体情報を、前記編集装置側媒体情報記憶手段に記憶されている前記媒体情報から抽出する抽出手段と、
前記編集装置側媒体情報送信手段により、前記抽出手段により抽出された前記媒体情報を前記印刷装置側媒体情報受信手段へ送信する不足媒体情報送信制御手段と
を備えたことを特徴とする請求項１に記載の印刷システム。
【請求項４】
前記印刷データ編集装置は、
前記媒体情報を入力する入力手段と、
当該入力手段により入力された媒体情報である入力媒体情報を前記編集装置側媒体情報記憶手段に記憶する入力媒体情報記憶制御手段と、
前記抽出手段により前記不足媒体情報が抽出されなかった場合に前記入力手段を作動させる第１入力制御手段と
を備えたことを特徴とする請求項３に記載の印刷システム。
【請求項５】
前記印刷データ編集装置は、
前記媒体情報を提供するサーバに接続するための接続情報を記憶する接続情報記憶手段と、
当該接続情報記憶手段に記憶されている前記接続情報を用いて前記サーバに接続する接続手段と、
当該接続手段により前記サーバに接続し、前記媒体情報を取得する媒体情報取得手段と、
前記抽出手段により前記不足媒体情報が抽出されなかった場合に、前記媒体情報取得手段により前記不足媒体情報を前記サーバから取得する不足媒体情報取得制御手段と
を備えたことを特徴とする請求項３に記載の印刷システム。
【請求項６】
前記印刷データ編集装置は、
前記媒体情報を提供するサーバに接続するための接続情報を記憶する接続情報記憶手段と、
当該接続情報記憶手段に記憶されている前記接続情報を用いて前記サーバに接続する接続手段と、
当該接続手段により前記サーバに接続し、前記媒体情報を取得する媒体情報取得手段と、
前記抽出手段により前記不足媒体情報が抽出されなかった場合に、前記媒体情報取得手段により全ての媒体情報を前記サーバから取得する全件媒体情報取得制御手段と
を備えたことを特徴とする請求項３に記載の印刷システム。
【請求項７】
前記印刷データ編集装置は、
前記媒体情報を入力する入力手段と、
前記媒体情報取得手段により前記媒体情報が取得できない場合には、前記入力手段を作動させる第２入力制御手段を備えたことを特徴とする請求項５又は請求項６に記載の印刷システム。
【請求項８】
前記印刷装置は、
前記印刷装置側媒体情報受信手段が前記編集装置側媒体情報送信手段から送信された前記媒体情報を受信した場合に、前記媒体情報記憶制御手段は、受信した前記媒体情報の全てを前記印刷装置側媒体情報記憶手段に記憶させることを特徴とする請求項１乃至請求項７のいずれかに記載の印刷システム。
【請求項９】
前記印刷装置は、
前記印刷装置側媒体情報受信手段が前記編集装置側媒体情報送信手段から送信された前記媒体情報を受信した場合に、前記印刷装置側媒体情報受信手段が受信した前記媒体情報に含まれる各被印刷媒体の媒体情報である個別媒体情報が、前記印刷装置側媒体情報記憶手段に記憶されている前記媒体情報に存在するか否かを判断する第１個別媒体情報判断手段を備え、
前記媒体情報記憶制御手段は、前記第１個別媒体情報判断手段が前記印刷装置側媒体情報記憶手段に記憶されている前記媒体情報に存在しないと判断された個別媒体情報のみを前記印刷装置側媒体情報記憶手段に追加して記憶させることを特徴とする請求項１乃至請求項７のいずれかに記載の印刷システム。
【請求項１０】
前記印刷装置は、
前記印刷装置側媒体情報記憶手段に記憶されている前記媒体情報の全てを前記印刷データ編集装置に送信する印刷装置側媒体情報送信手段を備え、
前記印刷データ編集装置は、
前記印刷装置側媒体情報送信手段から送信された前記媒体情報を受信する編集装置側媒体情報受信手段と、
前記装置側媒体情報記憶手段に記憶されている前記媒体情報に含まれる前記個別媒体情報が、前記印刷装置側媒体情報受信手段が受信した前記媒体情報に存在するか否かを判断する第２個別媒体情報判断手段と、
当該第２個別媒体情報判断手段により存在しないと判断された前記個別媒体情報が存在した場合に、前記編集装置側媒体情報送信手段により当該個別媒体情報又は全ての前記媒体情報のいずれかを送信する個別媒体情報送信制御手段と
を備えたことを特徴とする請求項１乃至請求項９のいずれかに記載の印刷システム。
【請求項１１】
印刷装置で印刷を行うための印刷データを作成する印刷データ編集装置に接続した印刷装置であって、
前記媒体情報を記憶する印刷装置側媒体情報記憶手段と、
前記編集装置側媒体情報送信手段から送信された前記媒体情報を受信する印刷装置側媒体情報受信手段と、
当該印刷装置側媒体情報受信手段が受信した前記媒体情報を前記印刷装置側媒体情報記憶手段に記憶させる媒体情報記憶制御手段と
を備えたことを特徴とする印刷装置。
【請求項１２】
当該印刷装置に装着された被印刷媒体の種類を検出する被印刷媒体検出手段と、
当該被印刷媒体検出手段により検出された種類の被印刷媒体の前記媒体情報が前記印刷装置側媒体情報記憶手段に記憶されているか否かを判断する検出媒体判断手段と、
当該検出媒体判断手段により記憶されていないと判断された場合に、前記印刷データ編集装置に全ての媒体情報を要求する全件要求情報、又は、記憶されていない媒体情報である不足媒体情報を要求する不足要求情報を送信する要求情報送信手段と
を備えたことを特徴とする請求項１１に記載の印刷装置。
【請求項１３】
前記印刷装置側媒体情報受信手段が前記印刷データ編集装置から送信された前記媒体情報を受信した場合に、前記媒体情報記憶制御手段は、受信した前記媒体情報の全てを前記印刷装置側媒体情報記憶手段に記憶させることを特徴とする請求項１１又は請求項１２に記載の印刷装置。
【請求項１４】
前記印刷装置側媒体情報受信手段が前記印刷データ編集装置から送信された前記媒体情報を受信した場合に、前記印刷装置側媒体情報受信手段が受信した前記媒体情報の各被印刷媒体の個別媒体情報が、前記印刷装置側媒体情報記憶手段に記憶されている前記媒体情報に存在するか否かを判断する第１個別媒体情報判断手段を備え、
前記媒体情報記憶制御手段は、前記第１個別媒体情報判断手段が前記印刷装置側媒体情報記憶手段に記憶されている前記媒体情報に存在しないと判断された個別媒体情報のみを前記印刷装置側媒体情報記憶手段に追加して記憶させることを特徴とする請求項１１又は請求項１２に記載の印刷装置。
【請求項１５】
前記印刷装置側媒体情報記憶手段に記憶されている前記媒体情報の全てを前記印刷データ編集装置に送信する印刷装置側媒体情報送信手段
を備えたことを特徴とする請求項１１乃至請求項１４のいずれかに記載の印刷装置。
【請求項１６】
印刷装置に接続し、前記印刷装置で印刷を行うための印刷データを作成する印刷データ編集装置であって、
前記印刷装置で印刷される被印刷媒体に関する媒体情報を記憶する編集装置側媒体情報記憶手段と、
当該編集装置側媒体情報記憶手段に記憶されている前記媒体情報を前記印刷装置へ送信する編集装置側媒体情報送信手段と
を備えたことを特徴とする印刷データ編集装置。
【請求項１７】
前記印刷装置から送信された全ての媒体情報を要求する全件要求情報を受信する全件要求情報受信手段と、
当該全件要求情報受信手段が前記全件要求情報を受信した場合に、前記編集装置側媒体情報送信手段により、前記編集装置側媒体情報記憶手段に記憶されている前記媒体情報の全件を送信する全件媒体情報送信制御手段と
を備えたことを特徴とする請求項１６に記載の印刷データ編集装置。
【請求項１８】
前記不足要求情報送信手段から送信された、前記印刷装置に記憶されていない媒体情報である不足媒体情報を要求する不足要求情報を受信する不足要求情報受信手段と、
当該不足要求情報受信手段が受信した前記不足要求情報で要求されている前記不足媒体情報を、前記編集装置側媒体情報記憶手段に記憶されている前記媒体情報から抽出する抽出手段と、
前記編集装置側媒体情報送信手段により、前記抽出手段により抽出された前記媒体情報を前記印刷装置側媒体情報受信手段へ送信する不足媒体情報送信制御手段と
を備えたことを特徴とする請求項１６に記載の印刷データ編集装置。
【請求項１９】
前記媒体情報を入力する入力手段と、
当該入力手段により入力された媒体情報である入力媒体情報を前記編集装置側媒体情報記憶手段に記憶する入力媒体情報記憶制御手段と、
前記抽出手段により前記不足媒体情報が抽出されなかった場合に前記入力手段を作動させる第１入力制御手段と
を備えたことを特徴とする請求項１８に記載の印刷データ編集装置。
【請求項２０】
前記媒体情報を提供するサーバに接続するための接続情報を記憶する接続情報記憶手段と、
当該接続情報記憶手段に記憶されている前記接続情報を用いて前記サーバに接続する接続手段と、
当該接続手段により前記サーバに接続し、前記媒体情報を取得する媒体情報取得手段と、
前記抽出手段により前記不足媒体情報が抽出されなかった場合に前記媒体情報取得手段により前記不足媒体情報を前記サーバから取得する不足媒体情報取得制御手段と
を備えたことを特徴とする請求項１８に記載の印刷データ編集装置。
【請求項２１】
前記媒体情報を提供するサーバに接続するための接続情報を記憶する接続情報記憶手段と、
当該接続情報記憶手段に記憶されている前記接続情報を用いて前記サーバに接続する接続手段と、
当該接続手段により前記サーバに接続し、前記媒体情報を取得する媒体情報取得手段と、
前記抽出手段により前記不足媒体情報が抽出されなかった場合に前記媒体情報取得手段により全ての媒体情報を前記サーバから取得する全件媒体情報取得制御手段と
を備えたことを特徴とする請求項１８に記載の印刷データ編集装置。
【請求項２２】
前記媒体情報を入力する入力手段と、
前記媒体情報取得手段により前記媒体情報が取得できない場合には、前記入力手段を作動させることを特徴とする請求項２０又は請求項２１に記載の印刷データ編集装置。
【請求項２３】
前記印刷装置から送信された前記媒体情報を受信する編集装置側媒体情報受信手段と、
前記装置側媒体情報記憶手段に記憶されている前記媒体情報の各被印刷媒体の個別媒体情報が、前記印刷装置側媒体情報受信手段が受信した前記媒体情報に存在するか否かを判断する第２個別媒体情報判断手段と、
当該第２個別媒体情報判断手段により存在しないと判断された個別媒体情報が存在した場合に、前記編集装置側媒体情報送信手段により当該個別媒体情報又は全ての前記媒体情報のいずれかを送信する個別媒体情報送信制御手段と
を備えたことを特徴とする請求項１６乃至請求項２２のいずれかに記載の印刷データ編集装置。
【請求項２４】
印刷装置で印刷される被印刷媒体に関する媒体情報を記憶する媒体情報記憶手段と、
印刷装置に装着された被印刷媒体の種類を検出する被印刷媒体検出手段と、
当該被印刷媒体検出手段により検出された種類の被印刷媒体の前記媒体情報が前記媒体情報記憶手段に記憶されているか否かを判断する検出媒体判断手段と、
前記媒体情報を入力する入力手段と、
当該入力手段により入力された媒体情報である入力媒体情報を前記媒体情報記憶手段に記憶する入力媒体情報記憶制御手段と、
前記検出媒体判断手段により記憶されていないと判断された場合に、前記入力手段を作動させる第３入力制御手段と
を備えたことを特徴とする印刷装置。
【請求項２５】
印刷装置で印刷される被印刷媒体に関する媒体情報を記憶する媒体情報記憶手段と、
印刷装置に装着された被印刷媒体の種類を検出する被印刷媒体検出手段と、
当該被印刷媒体検出手段により検出された種類の被印刷媒体の前記媒体情報が前記媒体情報記憶手段に記憶されているか否かを判断する検出媒体判断手段と、
前記媒体情報を提供するサーバに接続するための接続情報を記憶する接続情報記憶手段と、
当該接続情報記憶手段に記憶されている前記接続情報を用いて前記サーバに接続する接続手段と、
当該接続手段により前記サーバに接続し、前記媒体情報を取得する媒体情報取得手段と、
前記検出媒体判断手段により記憶されていないと判断された場合に、前記媒体情報取得手段により前記不足媒体情報を前記サーバから取得する不足媒体情報取得制御手段と
を備えたことを特徴とする印刷装置。
【請求項２６】
印刷装置で印刷される被印刷媒体に関する媒体情報を記憶する媒体情報記憶手段と、
印刷装置に装着された被印刷媒体の種類を検出する被印刷媒体検出手段と、
当該被印刷媒体検出手段により検出された種類の被印刷媒体の前記媒体情報が前記媒体情報記憶手段に記憶されているか否かを判断する検出媒体判断手段と、
前記媒体情報を提供するサーバに接続するための接続情報を記憶する接続情報記憶手段と、
当該接続情報記憶手段に記憶されている前記接続情報を用いて前記サーバに接続する接続手段と、
当該接続手段により前記サーバに接続し、前記媒体情報を取得する媒体情報取得手段と、
前記検出媒体判断手段により記憶されていないと判断された場合に、前記媒体情報取得手段により全ての媒体情報を前記サーバから取得する全件媒体情報取得制御手段と
を備えたことを特徴とする印刷装置。
【請求項２７】
前記媒体情報を入力する入力手段と、
前記媒体情報取得手段により前記媒体情報が取得できない場合には、前記入力手段を作動させる第４入力制御手段を備えたことを特徴とする請求項２５又は請求項２６に記載の印刷装置。
【請求項２８】
前記媒体情報取得手段が前記サーバから取得した前記媒体情報の全てを前記媒体情報記憶手段に記憶させることを特徴とする請求項２５乃至請求項２７のいずれかに記載の印刷装置。
【請求項２９】
前記媒体情報取得手段が前記サーバから取得した前記媒体情報のに含まれる各被印刷媒体の媒体情報である個別媒体情報が、前記媒体情報記憶手段に記憶されている前記媒体情報に存在するか否かを判断する第３個別媒体情報判断手段を備え、
前記媒体情報記憶制御手段は、前記第３個別媒体情報判断手段が前記媒体情報記憶手段に記憶されている前記媒体情報に存在しないと判断された個別媒体情報のみを前記媒体情報記憶手段に追加して記憶させることを特徴とする請求項２５乃至請求項２７のいずれかに記載の印刷装置。
【発明の詳細な説明】
【技術分野】
【０００１】
本発明は、印刷システム、印刷データ編集装置及び印刷装置に関するものであり、詳細には、印刷装置で使用される印刷媒体に関する情報を印刷装置に追加、変更することが可能な印刷システム、印刷データ編集装置及び印刷装置に関するものである。
【背景技術】
【０００２】
従来より、印刷装置では、印刷媒体の種類を検知する検知手段が設けられており、当該検知手段により検知された印刷媒体の種類により印刷位置や印字エネルギーの制御等が行われている。例えば、テープカセットに装着されたテープに印刷を行うテープ印刷装置では、複数の押下型のスイッチが設けられ、テープカセットにはスイッチの位置に対応していくつかの穴が設けられている。そこで、テープカセットをセットした際には、穴のある部分のスイッチは押下されず、穴のない部分のスイッチは押下されることになる。そして、押下されるスイッチの組み合わせによりテープカセットの種類、即ちテープの種類が検出されている。また、カット用紙を印刷する印刷装置では、カット用紙のセット部分にセンサが設けられており、用紙のサイズが検出されている。よって、印刷装置に登録されていない被印刷媒体へ印刷を行うと、印刷データを作成した際に意図したイメージで印刷できなかったり、印刷自体が行えなかったりするという問題点がある。
【０００３】
また、印刷装置と同様に、処理媒体となるスタンプユニットの媒体情報が登録されており、スタンプの種類により製版の位置等を制御しているスタンプ作成装置を考える。このようなスタンプ作成装置において、新しいスタンプを追加する際には、スタンプ作成装置に接続し、スタンプを製版するための印面データを作成するパーソナルコンピュータにおいて新しいスタンプの情報（スタンプの印面面積を表すドット数）が入力され、スタンプ作成装置に登録されるというスタンプ作成装置も提案されている（例えば、特許文献１）。
【特許文献１】特開平１１−２７７８５９号公報
【発明の開示】
【発明が解決しようとする課題】
【０００４】
しかしながら、特許文献１のスタンプ作成装置では、新しいスタンプを使用できるものの、その新しいスタンプの情報をパーソナルコンピュータにおいて入力しなければならないという問題点がある。
【０００５】
本発明は、上述の問題点を解決するためになされたものであり、新しい印刷媒体に関する媒体情報を容易に印刷装置へ登録する印刷システム、印刷データ編集装置、印刷装置を提供しようとするものである。
【課題を解決するための手段】
【０００６】
また、請求項１に係る発明の印刷システムは、印刷装置で印刷を行うための印刷データを作成する印刷データ編集装置と印刷装置とを接続した印刷システムであって、前記印刷データ編集装置は、前記印刷装置で印刷される被印刷媒体に関する媒体情報を記憶する編集装置側媒体情報記憶手段と、当該編集装置側媒体情報記憶手段に記憶されている前記媒体情報を前記印刷装置へ送信する編集装置側媒体情報送信手段とを備え、前記印刷装置は、前記媒体情報を記憶する印刷装置側媒体情報記憶手段と、前記編集装置側媒体情報送信手段から送信された前記媒体情報を受信する印刷装置側媒体情報受信手段と、当該印刷装置側媒体情報受信手段が受信した前記媒体情報を前記印刷装置側媒体情報記憶手段に記憶させる媒体情報記憶制御手段とを備えている。
【０００７】
また、請求項２に係る発明の印刷システムでは、請求項１に記載の発明の構成に加えて、前記印刷装置は、当該印刷装置に装着された被印刷媒体の種類を検出する被印刷媒体検出手段と、当該被印刷媒体検出手段により検出された種類の被印刷媒体の前記媒体情報が前記印刷装置側媒体情報記憶手段に記憶されているか否かを判断する検出媒体判断手段と、当該検出媒体判断手段により記憶されていないと判断された場合に、全ての媒体情報を要求する全件要求情報を前記印刷データ編集装置へ送信する全件要求情報送信手段とを備え、前記印刷データ編集装置は、前記全件要求情報送信手段から送信された前記全件要求情報を受信する全件要求情報受信手段と、当該全件要求情報受信手段が前記全件要求情報を受信した場合に、前記編集装置側媒体情報送信手段により、前記編集装置側媒体情報記憶手段に記憶されている前記媒体情報の全件を送信する全件媒体情報送信制御手段とを備えたことを特徴とする構成となっている。
【０００８】
また、請求項３に係る発明の印刷システムでは、請求項１に記載の発明の構成に加えて、前記印刷装置は、当該印刷装置に装着された被印刷媒体の種類を検出する被印刷媒体検出手段と、当該被印刷媒体検出手段により検出された種類の被印刷媒体の前記媒体情報が前記印刷装置側媒体情報記憶手段に記憶されているか否かを判断する検出媒体判断手段と、当該検出媒体判断手段により記憶されていないと判断された場合に、記憶されていない媒体情報である不足媒体情報を要求する不足要求情報を前記印刷データ編集装置へ送信する不足要求情報送信手段とを備え、前記印刷データ編集装置は、前記不足要求情報送信手段から送信された前記不足要求情報を受信する不足要求情報受信手段と、当該不足要求情報受信手段が受信した前記不足要求情報で要求されている前記不足媒体情報を、前記編集装置側媒体情報記憶手段に記憶されている前記媒体情報から抽出する抽出手段と、前記編集装置側媒体情報送信手段により、前記抽出手段により抽出された前記媒体情報を前記印刷装置側媒体情報受信手段へ送信する不足媒体情報送信制御手段とを備えたことを特徴とする構成となっている。
【０００９】
また、請求項４に係る発明の印刷システムでは、請求項３に記載の発明の構成に加えて、前記印刷データ編集装置は、前記媒体情報を入力する入力手段と、当該入力手段により入力された媒体情報である入力媒体情報を前記編集装置側媒体情報記憶手段に記憶する入力媒体情報記憶制御手段と、前記抽出手段により前記不足媒体情報が抽出されなかった場合に前記入力手段を作動させる第１入力制御手段とを備えたことを特徴とする構成となっている。
【００１０】
また、請求項５に係る発明の印刷システムでは、請求項３に記載の発明の構成に加えて、前記印刷データ編集装置は、前記媒体情報を提供するサーバに接続するための接続情報を記憶する接続情報記憶手段と、当該接続情報記憶手段に記憶されている前記接続情報を用いて前記サーバに接続する接続手段と、当該接続手段により前記サーバに接続し、前記媒体情報を取得する媒体情報取得手段と、前記抽出手段により前記不足媒体情報が抽出されなかった場合に、前記媒体情報取得手段により前記不足媒体情報を前記サーバから取得する不足媒体情報取得制御手段とを備えたことを特徴とする構成となっている。
【００１１】
また、請求項６に係る発明の印刷システムでは、請求項３に記載の発明の構成に加えて、前記印刷データ編集装置は、前記媒体情報を提供するサーバに接続するための接続情報を記憶する接続情報記憶手段と、当該接続情報記憶手段に記憶されている前記接続情報を用いて前記サーバに接続する接続手段と、当該接続手段により前記サーバに接続し、前記媒体情報を取得する媒体情報取得手段と、前記抽出手段により前記不足媒体情報が抽出されなかった場合に、前記媒体情報取得手段により全ての媒体情報を前記サーバから取得する全件媒体情報取得制御手段とを備えたことを特徴とする構成となっている。
【００１２】
また、請求項７に係る発明の印刷システムでは、請求項５又は請求項６に記載の発明の構成に加えて、前記印刷データ編集装置は、前記媒体情報を入力する入力手段と、前記媒体情報取得手段により前記媒体情報が取得できない場合には、前記入力手段を作動させる第２入力制御手段を備えたことを特徴とする構成となっている。
【００１３】
また、請求項８に係る発明の印刷システムでは、請求項１乃至請求項７のいずれかに記載の発明の構成に加えて、前記印刷装置は、前記印刷装置側媒体情報受信手段が前記編集装置側媒体情報送信手段から送信された前記媒体情報を受信した場合に、前記媒体情報記憶制御手段は、受信した前記媒体情報の全てを前記印刷装置側媒体情報記憶手段に記憶させることを特徴とする構成となっている。
【００１４】
また、請求項９に係る発明の印刷システムでは、請求項１乃至請求項７のいずれかに記載の発明の構成に加えて、前記印刷装置は、前記印刷装置側媒体情報受信手段が前記編集装置側媒体情報送信手段から送信された前記媒体情報を受信した場合に、前記印刷装置側媒体情報受信手段が受信した前記媒体情報に含まれる各被印刷媒体の媒体情報である個別媒体情報が、前記印刷装置側媒体情報記憶手段に記憶されている前記媒体情報に存在するか否かを判断する第１個別媒体情報判断手段を備え、前記媒体情報記憶制御手段は、前記第１個別媒体情報判断手段が前記印刷装置側媒体情報記憶手段に記憶されている前記媒体情報に存在しないと判断された個別媒体情報のみを前記印刷装置側媒体情報記憶手段に追加して記憶させることを特徴とする構成となっている。
【００１５】
また、請求項１０に係る発明の印刷システムでは、請求項１乃至請求項９のいずれかに記載の発明の構成に加えて、前記印刷装置は、前記印刷装置側媒体情報記憶手段に記憶されている前記媒体情報の全てを前記印刷データ編集装置に送信する印刷装置側媒体情報送信手段を備え、前記印刷データ編集装置は、前記印刷装置側媒体情報送信手段から送信された前記媒体情報を受信する編集装置側媒体情報受信手段と、前記装置側媒体情報記憶手段に記憶されている前記媒体情報に含まれる前記個別媒体情報が、前記印刷装置側媒体情報受信手段が受信した前記媒体情報に存在するか否かを判断する第２個別媒体情報判断手段と、当該第２個別媒体情報判断手段により存在しないと判断された前記個別媒体情報が存在した場合に、前記編集装置側媒体情報送信手段により当該個別媒体情報又は全ての前記媒体情報のいずれかを送信する個別媒体情報送信制御手段を備えたことを特徴とする構成となっている。
【００１６】
また、請求項１１に係る発明の印刷装置は、印刷装置で印刷を行うための印刷データを作成する印刷データ編集装置に接続した印刷装置であって、前記媒体情報を記憶する印刷装置側媒体情報記憶手段と、前記編集装置側媒体情報送信手段から送信された前記媒体情報を受信する印刷装置側媒体情報受信手段と、当該印刷装置側媒体情報受信手段が受信した前記媒体情報を前記印刷装置側媒体情報記憶手段に記憶させる媒体情報記憶制御手段とを備えている。
【００１７】
また、請求項１２に係る発明の印刷装置では、請求項１１に記載の発明の構成に加えて、当該印刷装置に装着された被印刷媒体の種類を検出する被印刷媒体検出手段と、当該被印刷媒体検出手段により検出された種類の被印刷媒体の前記媒体情報が前記印刷装置側媒体情報記憶手段に記憶されているか否かを判断する検出媒体判断手段と、当該検出媒体判断手段により記憶されていないと判断された場合に、前記印刷データ編集装置に全ての媒体情報を要求する全件要求情報、又は、記憶されていない媒体情報である不足媒体情報を要求する不足要求情報を送信する全件要求情報送信手段とを備えたことを特徴とする構成となっている。
【００１８】
また、請求項１３に係る発明の印刷装置では、請求項１１又は請求項１２に記載の発明の構成に加えて、前記印刷装置側媒体情報受信手段が前記印刷データ編集装置から送信された前記媒体情報を受信した場合に、前記媒体情報記憶制御手段は、受信した前記媒体情報の全てを前記印刷装置側媒体情報記憶手段に記憶させることを特徴とする構成となっている。
【００１９】
また、請求項１４に係る発明の印刷装置では、請求項１１又は請求項１２に記載の発明の構成に加えて、前記印刷装置側媒体情報受信手段が前記印刷データ編集装置から送信された前記媒体情報を受信した場合に、前記印刷装置側媒体情報受信手段が受信した前記媒体情報の各被印刷媒体の個別媒体情報が、前記印刷装置側媒体情報記憶手段に記憶されている前記媒体情報に存在するか否かを判断する第１個別媒体情報判断手段を備え、前記媒体情報記憶制御手段は、前記第１個別媒体情報判断手段が前記印刷装置側媒体情報記憶手段に記憶されている前記媒体情報に存在しないと判断された個別媒体情報のみを前記印刷装置側媒体情報記憶手段に追加して記憶させることを特徴とする構成となっている。
【００２０】
また、請求項１５に係る発明の印刷装置では、請求項１１乃至請求項１４のいずれかに記載の発明の構成に加えて、前記印刷装置側媒体情報記憶手段に記憶されている前記媒体情報の全てを前記印刷データ編集装置に送信する印刷装置側媒体情報送信手段を備えたことを特徴とする構成となっている。
【００２１】
また、請求項１６に係る発明の印刷データ編集装置は、印刷装置に接続し、前記印刷装置で印刷を行うための印刷データを作成する印刷データ編集装置であって、前記印刷装置で印刷される被印刷媒体に関する媒体情報を記憶する編集装置側媒体情報記憶手段と、当該編集装置側媒体情報記憶手段に記憶されている前記媒体情報を前記印刷装置へ送信する編集装置側媒体情報送信手段とを備えている。
【００２２】
また、請求項１７に係る発明の印刷データ編集装置では、請求項１６に記載の発明の構成に加えて、前記印刷装置から送信された全ての媒体情報を要求する全件要求情報を受信する全件要求情報受信手段と、当該全件要求情報受信手段が前記全件要求情報を受信した場合に、前記編集装置側媒体情報送信手段により、前記編集装置側媒体情報記憶手段に記憶されている前記媒体情報の全件を送信する全件媒体情報送信制御手段とを備えたことを特徴とする構成となっている。
【００２３】
また、請求項１８に係る発明の印刷データ編集装置では、請求項１６に記載の発明の構成に加えて、前記不足要求情報送信手段から送信された、前記印刷装置に記憶されていない媒体情報である不足媒体情報を要求する不足要求情報を受信する不足要求情報受信手段と、当該不足要求情報受信手段が受信した前記不足要求情報で要求されている前記不足媒体情報を、前記編集装置側媒体情報記憶手段に記憶されている前記媒体情報から抽出する抽出手段と、前記編集装置側媒体情報送信手段により、前記抽出手段により抽出された前記媒体情報を前記印刷装置側媒体情報受信手段へ送信する不足媒体情報送信制御手段とを備えたことを特徴とする構成となっている。
【００２４】
また、請求項１９に係る発明の印刷データ編集装置では、請求項１８に記載の発明の構成に加えて、前記媒体情報を入力する入力手段と、当該入力手段により入力された媒体情報である入力媒体情報を前記編集装置側媒体情報記憶手段に記憶する入力媒体情報記憶制御手段と、前記抽出手段により前記不足媒体情報が抽出されなかった場合に前記入力手段を作動させる第１入力制御手段とを備えたことを特徴とする構成となっている。
【００２５】
また、請求項２０に係る発明の印刷データ編集装置では、請求項１８に記載の発明の構成に加えて、前記媒体情報を提供するサーバに接続するための接続情報を記憶する接続情報記憶手段と、当該接続情報記憶手段に記憶されている前記接続情報を用いて前記サーバに接続する接続手段と、当該接続手段により前記サーバに接続し、前記媒体情報を取得する媒体情報取得手段と、前記抽出手段により前記不足媒体情報が抽出されなかった場合に前記媒体情報取得手段により前記不足媒体情報を前記サーバから取得する不足媒体情報取得制御手段とを備えたことを特徴とする構成となっている。
【００２６】
また、請求項２１に係る発明の印刷データ編集装置では、請求項１８に記載の発明の構成に加えて、前記媒体情報を提供するサーバに接続するための接続情報を記憶する接続情報記憶手段と、当該接続情報記憶手段に記憶されている前記接続情報を用いて前記サーバに接続する接続手段と、当該接続手段により前記サーバに接続し、前記媒体情報を取得する媒体情報取得手段と、前記抽出手段により前記不足媒体情報が抽出されなかった場合に前記媒体情報取得手段により全ての媒体情報を前記サーバから取得する全件媒体情報取得制御手段とを備えたことを特徴とする構成となっている。
【００２７】
また、請求項２２に係る発明の印刷データ編集装置では、請求項２０又は請求項２１に記載の発明の構成に加えて、前記媒体情報を入力する入力手段と、前記媒体情報取得手段により前記媒体情報が取得できない場合には、前記入力手段を作動させることを特徴とする構成となっている。
【００２８】
また、請求項２３に係る発明の印刷データ編集装置では、請求項１６乃至請求項２２のいずれかに記載の発明の構成に加えて、前記印刷装置から送信された前記媒体情報を受信する編集装置側媒体情報受信手段と、前記装置側媒体情報記憶手段に記憶されている前記媒体情報の各被印刷媒体の個別媒体情報が、前記印刷装置側媒体情報受信手段が受信した前記媒体情報に存在するか否かを判断する第２個別媒体情報判断手段と、当該第２個別媒体情報判断手段により存在しないと判断された個別媒体情報が存在した場合に、前記編集装置側媒体情報送信手段により当該個別媒体情報又は全ての前記媒体情報のいずれかを送信する個別媒体情報送信制御手段とを備えたことを特徴とする構成となっている。
【００２９】
また、請求項２４に係る発明の印刷装置では、印刷装置で印刷される被印刷媒体に関する媒体情報を記憶する媒体情報記憶手段と、印刷装置に装着された被印刷媒体の種類を検出する被印刷媒体検出手段と、当該被印刷媒体検出手段により検出された種類の被印刷媒体の前記媒体情報が前記媒体情報記憶手段に記憶されているか否かを判断する検出媒体判断手段と、前記媒体情報を入力する入力手段と、当該入力手段により入力された媒体情報である入力媒体情報を前記媒体情報記憶手段に記憶する入力媒体情報記憶制御手段と、前記検出媒体判断手段により記憶されていないと判断された場合に、前記入力手段を作動させる第３入力制御手段とを備えている。
【００３０】
また、請求項２５に係る発明の印刷装置では、印刷装置で印刷される被印刷媒体に関する媒体情報を記憶する媒体情報記憶手段と、印刷装置に装着された被印刷媒体の種類を検出する被印刷媒体検出手段と、当該被印刷媒体検出手段により検出された種類の被印刷媒体の前記媒体情報が前記媒体情報記憶手段に記憶されているか否かを判断する検出媒体判断手段と、前記媒体情報を提供するサーバに接続するための接続情報を記憶する接続情報記憶手段と、当該接続情報記憶手段に記憶されている前記接続情報を用いて前記サーバに接続する接続手段と、当該接続手段により前記サーバに接続し、前記媒体情報を取得する媒体情報取得手段と、前記検出媒体判断手段により記憶されていないと判断された場合に、前記媒体情報取得手段により前記不足媒体情報を前記サーバから取得する不足媒体情報取得制御手段とを備えている。
【００３１】
また、請求項２６に係る発明の印刷装置では、印刷装置で印刷される被印刷媒体に関する媒体情報を記憶する媒体情報記憶手段と、印刷装置に装着された被印刷媒体の種類を検出する被印刷媒体検出手段と、当該被印刷媒体検出手段により検出された種類の被印刷媒体の前記媒体情報が前記媒体情報記憶手段に記憶されているか否かを判断する検出媒体判断手段と、前記媒体情報を提供するサーバに接続するための接続情報を記憶する接続情報記憶手段と、当該接続情報記憶手段に記憶されている前記接続情報を用いて前記サーバに接続する接続手段と、当該接続手段により前記サーバに接続し、前記媒体情報を取得する媒体情報取得手段と、前記検出媒体判断手段により記憶されていないと判断された場合に、前記媒体情報取得手段により全ての媒体情報を前記サーバから取得する全件媒体情報取得制御手段とを備えている。
【００３２】
また、請求項２７に係る発明の印刷装置では、請求項２５又は請求項２６に記載の発明の構成に加えて、前記媒体情報を入力する入力手段と、前記媒体情報取得手段により前記媒体情報が取得できない場合には、前記入力手段を作動させる第４入力制御手段を備えたことを特徴とする構成となっている。
【００３３】
また、請求項２８に係る発明の印刷装置では、請求項２５乃至請求項２７のいずれかに記載の発明の構成に加えて、前記媒体情報取得手段が前記サーバから取得した前記媒体情報の全てを前記媒体情報記憶手段に記憶させることを特徴とする構成となっている。
【００３４】
また、請求項２９に係る発明の印刷装置では、請求項２５乃至請求項２７のいずれかに記載の発明の構成に加えて、前記媒体情報取得手段が前記サーバから取得した前記媒体情報のに含まれる各被印刷媒体の媒体情報である個別媒体情報が、前記媒体情報記憶手段に記憶されている前記媒体情報に存在するか否かを判断する第３個別媒体情報判断手段を備え、前記媒体情報記憶制御手段は、前記第３個別媒体情報判断手段が前記媒体情報記憶手段に記憶されている前記媒体情報に存在しないと判断された個別媒体情報のみを前記媒体情報記憶手段に追加して記憶させることを特徴とする構成となっている。
【発明の効果】
【００３５】
また、請求項１に係る発明の印刷システムでは、印刷データ編集装置の編集装置側媒体情報記憶手段は、印刷装置で印刷される被印刷媒体に関する媒体情報を記憶し、編集装置側媒体情報送信手段は、編集装置側媒体情報記憶手段に記憶されている媒体情報を印刷装置へ送信することができる。また、印刷装置の印刷装置側媒体情報記憶手段は、媒体情報を記憶し、印刷装置側媒体情報受信手段は、編集装置側媒体情報送信手段から送信された媒体情報を受信し、媒体情報記憶制御手段は、印刷装置側媒体情報受信手段が受信した媒体情報を印刷装置側媒体情報記憶手段に記憶させることができる。したがって、印刷装置は印刷データ編集装置から新しい被印刷媒体の媒体情報や変更された媒体情報を受取ることができるので、新しい被印刷媒体に印刷をすることができ、媒体情報のメンテナンスを行うことができる。
【００３６】
また、請求項２に係る発明の印刷システムでは、請求項１に記載の発明の効果に加えて、印刷装置の被印刷媒体検出手段は、印刷装置に装着された被印刷媒体の種類を検出し、検出媒体判断手段は、被印刷媒体検出手段により検出された種類の被印刷媒体の媒体情報が印刷装置側媒体情報記憶手段に記憶されているか否かを判断し、全件要求情報送信手段は、検出媒体判断手段により記憶されていないと判断された場合に、全ての媒体情報を要求する全件要求情報を印刷データ編集装置へ送信することができる。また、印刷データ編集装置の全件要求情報受信手段は、全件要求情報送信手段から送信された全件要求情報を受信し、全件媒体情報送信制御手段は、全件要求情報受信手段が全件要求情報を受信した場合に、編集装置側媒体情報送信手段により編集装置側媒体情報記憶手段に記憶されている媒体情報の全件を送信することができる。したがって、印刷装置に媒体情報がなくても、印刷データ編集装置から全件の媒体情報を取得することができるので、新しい被印刷媒体に印刷を行うことができる。また、全件の媒体情報を取得するので、印刷データ編集装置に記憶されているが、印刷装置には記憶されていない他の媒体情報も同時に取得することができる。
【００３７】
また、請求項３に係る発明の印刷システムでは、請求項１に記載の発明の効果に加えて、印刷装置の被印刷媒体検出手段は、印刷装置に装着された被印刷媒体の種類を検出し、検出媒体判断手段は、被印刷媒体検出手段により検出された種類の被印刷媒体の媒体情報が印刷装置側媒体情報記憶手段に記憶されているか否かを判断し、不足要求情報送信手段は、検出媒体判断手段により記憶されていないと判断された場合に、記憶されていない媒体情報である不足媒体情報を要求する不足要求情報を印刷データ編集装置へ送信することができる。また、印刷データ編集装置の不足要求情報受信手段は、不足要求情報送信手段から送信された不足要求情報を受信し、抽出手段は、不足要求情報受信手段が受信した不足要求情報で要求されている不足媒体情報を、編集装置側媒体情報記憶手段に記憶されている媒体情報から抽出し、不足媒体情報送信制御手段は、編集装置側媒体情報送信手段により、抽出手段により抽出された媒体情報を印刷装置側媒体情報受信手段へ送信することができる。したがって、印刷装置に媒体情報がなくても、印刷データ編集装置からその媒体情報を取得することができる。また、印刷データ編集装置から取得するのは不足していた媒体情報のみなので、印刷データ編集装置との更新時間は最低限の時間でよい。
【００３８】
また、請求項４に係る発明の印刷システムでは、請求項３に記載の発明の効果に加えて、印刷データ編集装置の入力手段は媒体情報を入力し、入力媒体情報記憶制御手段は、入力手段により入力された媒体情報である入力媒体情報を編集装置側媒体情報記憶手段に記憶し、第１入力制御手段は、抽出手段により不足媒体情報が抽出されなかった場合に入力手段を作動させることができる。したがって、印刷データ編集装置にも不足した媒体情報がなかった場合においても、操作者がその情報を入力することができるので、不足した媒体情報が作成され、その被印刷媒体に印刷を行うことができる。
【００３９】
また、請求項５に係る発明の印刷システムでは、請求項３に記載の発明の効果に加えて、印刷データ編集装置の接続情報記憶手段は、媒体情報を提供するサーバに接続するための接続情報を記憶し、接続手段は、接続情報記憶手段に記憶されている接続情報を用いてサーバに接続し、媒体情報取得手段は、接続手段によりサーバに接続して媒体情報を取得し、不足媒体情報取得制御手段は、抽出手段により不足媒体情報が抽出されなかった場合に、媒体情報取得手段により不足媒体情報をサーバから取得することができる。したがって、印刷データ編集装置にも不足した媒体情報がなかった場合においても、印刷媒体提供会社や被印刷媒体提供会社がネットワーク上で媒体情報を提供しているサーバに接続することによって、不足した媒体情報を取得することができる。また、サーバから取得する媒体情報は不足していた媒体情報のみなので、サーバと印刷データ編集装置との接続時間は最低限の時間でよい。
【００４０】
また、請求項６に係る発明の印刷システムでは、請求項３に記載の発明の効果に加えて、印刷データ編集装置の接続情報記憶手段は、媒体情報を提供するサーバに接続するための接続情報を記憶し、接続手段は、接続情報記憶手段に記憶されている接続情報を用いてサーバに接続し、媒体情報取得手段は、接続手段によりサーバに接続して媒体情報を取得し、全件媒体情報取得制御手段は、抽出手段により不足媒体情報が抽出されなかった場合に、媒体情報取得手段により全ての媒体情報をサーバから取得することができる。したがって、印刷データ編集装置にも不足した媒体情報がなかった場合においても、印刷媒体提供会社や被印刷媒体提供会社がネットワーク上で媒体情報を提供しているサーバに接続することによって、不足した媒体情報を取得することができる。また、サーバから全件の媒体情報を取得することができるので、印刷データ編集装置に記憶されていない他の媒体情報も同時に取得することができる。
【００４１】
また、請求項７に係る発明の印刷システムでは、請求項５又は請求項６に記載の発明の効果に加えて、印刷データ編集装置の入力手段は媒体情報を入力し、第２入力制御手段は、媒体情報取得手段により媒体情報が取得できない場合には、入力手段を作動させることができる。したがって、サーバに媒体情報がなかった場合や、サーバに接続できない場合においても、操作者がその情報を入力することができるので、不足した媒体情報が作成され、その被印刷媒体に印刷をおこなうことができる。
【００４２】
また、請求項８に係る発明の印刷システムでは、請求項１乃至請求項７のいずれかに記載の発明の効果に加えて、印刷装置の媒体情報記憶制御手段は、印刷装置側媒体情報受信手段が編集装置側媒体情報送信手段から送信された媒体情報を受信した場合に、受信した媒体情報の全てを印刷装置側媒体情報記憶手段に記憶させることができる。したがって、受信した媒体情報をそのまま記憶できる。
【００４３】
また、請求項９に係る発明の印刷システムでは、請求項１乃至請求項７のいずれかに記載の発明の効果に加えて、印刷装置の第１個別媒体情報判断手段は、印刷装置側媒体情報受信手段が編集装置側媒体情報送信手段から送信された媒体情報を受信した場合に、印刷装置側媒体情報受信手段が受信した媒体情報に含まれる各被印刷媒体の媒体情報である個別媒体情報が、印刷装置側媒体情報記憶手段に記憶されている媒体情報に存在するか否かを判断することができる。また、媒体情報記憶制御手段は、第１個別媒体情報判断手段が印刷装置側媒体情報記憶手段に記憶されている媒体情報に存在しないと判断された個別媒体情報のみを印刷装置側媒体情報記憶手段に追加して記憶させることができる。したがって、印刷装置に記憶されていない、新しく記憶する必要がある媒体情報のみを記憶させることができる。
【００４４】
また、請求項１０に係る発明の印刷システムでは、請求項１乃至請求項９のいずれかに記載の発明の効果に加えて、印刷装置の印刷装置側媒体情報送信手段は、印刷装置側媒体情報記憶手段に記憶されている媒体情報の全てを印刷データ編集装置に送信することができる。また、印刷データ編集装置の編集装置側媒体情報受信手段は、印刷装置側媒体情報送信手段から送信された媒体情報を受信し、第２個別媒体情報判断手段は、装置側媒体情報記憶手段に記憶されている媒体情報に含まれる個別媒体情報が、印刷装置側媒体情報受信手段が受信した媒体情報に存在するか否かを判断し、個別媒体情報送信制御手段は、第２個別媒体情報判断手段により存在しないと判断された個別媒体情報が存在した場合に、編集装置側媒体情報送信手段により個別媒体情報又は全ての媒体情報のいずれかを送信することができる。したがって、印刷データ編集装置において、印刷装置にどの媒体情報が記憶されているかを認識することができるため、自身に記憶されている媒体情報と比較することにより、印刷装置において不足している媒体情報があるか否かを判断することができ、印刷装置に不足の媒体情報又は全件の媒体情報が送信されるので、印刷装置の媒体情報に不足の媒体情報を追加することができる。
【００４５】
また、請求項１１に係る発明の印刷装置では、印刷装置側媒体情報記憶手段は、媒体情報を記憶し、印刷装置側媒体情報受信手段は、編集装置側媒体情報送信手段から送信された媒体情報を受信し、媒体情報記憶制御手段は、印刷装置側媒体情報受信手段が受信した媒体情報を印刷装置側媒体情報記憶手段に記憶させることができる。したがって、印刷データ編集装置から新しい被印刷媒体の媒体情報を受け取ったり、変更された媒体情報を受取ったりすることができるので、新しい被印刷媒体に印刷をすることができる。また、媒体情報のメンテナンスを行うことができる。
【００４６】
また、請求項１２に係る発明の印刷装置では、請求項１１に記載の発明の効果に加えて、被印刷媒体検出手段は、印刷装置に装着された被印刷媒体の種類を検出し、検出媒体判断手段は、被印刷媒体検出手段により検出された種類の被印刷媒体の媒体情報が印刷装置側媒体情報記憶手段に記憶されているか否かを判断し、全件要求情報送信手段は、検出媒体判断手段により記憶されていないと判断された場合に、印刷データ編集装置に全ての媒体情報を要求する全件要求情報、又は、記憶されていない媒体情報である不足媒体情報を要求する不足要求情報を送信することができる。したがって、印刷装置に媒体情報がなくても、不足した媒体情報又は印刷データ編集装置に記憶されている全ての媒体情報を印刷データ編集装置へ要求することができ、それにより印刷データ編集装置から送信されてくる媒体情報を取得することができる。
【００４７】
また、請求項１３に係る発明の印刷装置では、請求項１１又は請求項１２に記載の発明の効果に加えて、印刷装置側媒体情報受信手段が印刷データ編集装置から送信された媒体情報を受信した場合に、媒体情報記憶制御手段は、受信した媒体情報の全てを印刷装置側媒体情報記憶手段に記憶させることができる。したがって、受信した媒体情報をそのまま記憶できる。
【００４８】
また、請求項１４に係る発明の印刷装置では、請求項１１又は請求項１２に記載の発明の効果に加えて、第１個別媒体情報判断手段は、印刷装置側媒体情報受信手段が印刷データ編集装置から送信された媒体情報を受信した場合に、印刷装置側媒体情報受信手段が受信した媒体情報の各被印刷媒体の個別媒体情報が、印刷装置側媒体情報記憶手段に記憶されている媒体情報に存在するか否かを判断することができる。また、媒体情報記憶制御手段は、第１個別媒体情報判断手段が印刷装置側媒体情報記憶手段に記憶されている媒体情報に存在しないと判断された個別媒体情報のみを印刷装置側媒体情報記憶手段に追加して記憶させることができる。したがって、印刷装置に記憶されていない、新しく記憶する必要がある媒体情報のみを記憶させることができる。
【００４９】
また、請求項１５に係る発明の印刷装置では、請求項１１乃至請求項１４のいずれかに記載の発明の効果に加えて、印刷装置側媒体情報送信手段は、印刷装置側媒体情報記憶手段に記憶されている媒体情報の全てを印刷データ編集装置に送信することができる。したがって、印刷データ編集装置において、印刷装置にどの媒体情報が記憶されているかを認識することができるため、自身に記憶されている媒体情報と比較することにより、印刷装置において不足している媒体情報があるか否かを判断することができ、印刷装置に不足の媒体情報又は全件の媒体情報が送信されるので、印刷装置の媒体情報に不足の媒体情報を追加することができる。
【００５０】
また、請求項１６に係る発明の印刷データ編集装置では、編集装置側媒体情報記憶手段は、印刷装置で印刷される被印刷媒体に関する媒体情報を記憶し、編集装置側媒体情報送信手段は、編集装置側媒体情報記憶手段に記憶されている媒体情報を印刷装置へ送信することができる。したがって、印刷データ編集装置に記憶されている媒体情報を印刷装置へ反映させることができる。
【００５１】
また、請求項１７に係る発明の印刷データ編集装置では、請求項１６に記載の発明の効果に加えて、全件要求情報受信手段は、印刷装置から送信された全ての媒体情報を要求する全件要求情報を受信し、全件媒体情報送信制御手段は、全件要求情報受信手段が全件要求情報を受信した場合に、編集装置側媒体情報送信手段により編集装置側媒体情報記憶手段に記憶されている媒体情報の全件を送信することができる。
【００５２】
また、請求項１８に係る発明の印刷データ編集装置では、請求項１６に記載の発明の効果に加えて、不足要求情報受信手段は、不足要求情報送信手段から送信された、印刷装置に記憶されていない媒体情報である不足媒体情報を要求する不足要求情報を受信し、抽出手段は、不足要求情報受信手段が受信した不足要求情報で要求されている不足媒体情報を、編集装置側媒体情報記憶手段に記憶されている媒体情報から抽出し、不足媒体情報送信制御手段は、編集装置側媒体情報送信手段により、抽出手段により抽出された媒体情報を印刷装置側媒体情報受信手段へ送信することができる。
【００５３】
また、請求項１９に係る発明の印刷データ編集装置では、請求項１８に記載の発明の効果に加えて、入力手段は媒体情報を入力し、入力媒体情報記憶制御手段は、入力手段により入力された媒体情報である入力媒体情報を編集装置側媒体情報記憶手段に記憶し、第１入力制御手段は、抽出手段により不足媒体情報が抽出されなかった場合に入力手段を作動させることができる。したがって、要求された媒体情報が記憶されていなかった場合においても、操作者に媒体情報を入力させることができるので、要求された媒体情報を作成することができる。
【００５４】
また、請求項２０に係る発明の印刷データ編集装置では、請求項１８に記載の発明の効果に加えて、接続情報記憶手段は、媒体情報を提供するサーバに接続するための接続情報を記憶し、接続手段は、接続情報記憶手段に記憶されている接続情報を用いてサーバに接続し、媒体情報取得手段は、接続手段によりサーバに接続して媒体情報を取得し、不足媒体情報取得制御手段は、抽出手段により不足媒体情報が抽出されなかった場合に媒体情報取得手段により不足媒体情報をサーバから取得することができる。したがって、要求された媒体情報が記憶されていなかった場合においても、印刷媒体提供会社や被印刷媒体提供会社がネットワーク上で媒体情報を提供しているサーバに接続することによって、サーバに要求された媒体情報が記憶されていれば、要求された媒体情報を取得することができる。
【００５５】
また、請求項２１に係る発明の印刷データ編集装置では、請求項１８に記載の発明の効果に加えて、接続情報記憶手段は、媒体情報を提供するサーバに接続するための接続情報を記憶し、接続手段は、接続情報記憶手段に記憶されている接続情報を用いてサーバに接続し、媒体情報取得手段は、接続手段によりサーバに接続して媒体情報を取得し、全件媒体情報取得制御手段は、抽出手段により不足媒体情報が抽出されなかった場合に媒体情報取得手段により全ての媒体情報をサーバから取得することができる。したがって、要求された媒体情報が記憶されていなかった場合においても、印刷媒体提供会社や被印刷媒体提供会社がネットワーク上で媒体情報を提供しているサーバに接続することによって、サーバに記憶されている全件の媒体情報を取得することができるので、その中に要求された媒体情報が存在すれば、要求された媒体情報を取得することができる。
【００５６】
また、請求項２２に係る発明の印刷データ編集装置では、請求項２０又は請求項２１に記載の発明の効果に加えて、入力手段は媒体情報を入力することができ、媒体情報取得手段により媒体情報が取得できない場合には、入力手段を作動させることができる。したがって、サーバに媒体情報がなかった場合や、サーバに接続できない場合においても、操作者がその情報を入力することができるので、不足した媒体情報を作成することができる。
【００５７】
また、請求項２３に係る発明の印刷データ編集装置では、請求項１６乃至請求項２２のいずれかに記載の発明の効果に加えて、編集装置側媒体情報受信手段は、印刷装置から送信された媒体情報を受信し、第２個別媒体情報判断手段は、装置側媒体情報記憶手段に記憶されている媒体情報の各被印刷媒体の個別媒体情報が、印刷装置側媒体情報受信手段が受信した媒体情報に存在するか否かを判断し、個別媒体情報送信制御手段は、第２個別媒体情報判断手段により存在しないと判断された個別媒体情報が存在した場合に、編集装置側媒体情報送信手段により個別媒体情報又は全ての媒体情報のいずれかを送信することができる。したがって、印刷装置にどの媒体情報が記憶されているかを認識することができるため、自身に記憶されている媒体情報と比較することにより、印刷装置において不足している媒体情報があるか否かを判断することができ、印刷装置に不足の媒体情報又は全件の媒体情報を送信して、印刷装置の媒体情報に不足の媒体情報を追加することができる。
【００５８】
また、請求項２４に係る発明の印刷装置では、媒体情報記憶手段は、印刷装置で印刷される被印刷媒体に関する媒体情報を記憶し、被印刷媒体検出手段は、印刷装置に装着された被印刷媒体の種類を検出し、検出媒体判断手段は、被印刷媒体検出手段により検出された種類の被印刷媒体の媒体情報が媒体情報記憶手段に記憶されているか否かを判断し、入力手段は媒体情報を入力し、入力媒体情報記憶制御手段は、入力手段により入力された媒体情報である入力媒体情報を媒体情報記憶手段に記憶し、第３入力制御手段は、検出媒体判断手段により記憶されていないと判断された場合に、入力手段を作動させることができる。したがって、操作者にその被印刷媒体の情報を入力させることにより、媒体情報を作成することができるので、その被印刷媒体に印刷を行うことができる。
【００５９】
また、請求項２５に係る発明の印刷装置では、媒体情報記憶手段は、印刷装置で印刷される被印刷媒体に関する媒体情報を記憶し、被印刷媒体検出手段は、印刷装置に装着された被印刷媒体の種類を検出し、検出媒体判断手段は、被印刷媒体検出手段により検出された種類の被印刷媒体の媒体情報が媒体情報記憶手段に記憶されているか否かを判断し、接続情報記憶手段は、媒体情報を提供するサーバに接続するための接続情報を記憶し、接続手段は、接続情報記憶手段に記憶されている接続情報を用いてサーバに接続し、媒体情報取得手段は、接続手段によりサーバに接続して媒体情報を取得し、検出媒体判断手段により記憶されていないと判断された場合に、媒体情報取得手段により不足媒体情報をサーバから取得する不足媒体情報取得制御手段とことができる。したがって、印刷媒体提供会社や被印刷媒体提供会社がネットワーク上で媒体情報を提供しているサーバに接続することによって、サーバに記憶されているその被印刷媒体の媒体情報を取得することができる。また、サーバから取得する媒体情報は不足していた媒体情報のみなので、サーバと印刷装置との接続時間は最低限の時間でよい。
【００６０】
また、請求項２６に係る発明の印刷装置では、媒体情報記憶手段は、印刷装置で印刷される被印刷媒体に関する媒体情報を記憶し、被印刷媒体検出手段は、印刷装置に装着された被印刷媒体の種類を検出し、検出媒体判断手段は、被印刷媒体検出手段により検出された種類の被印刷媒体の媒体情報が媒体情報記憶手段に記憶されているか否かを判断し、接続情報記憶手段は、媒体情報を提供するサーバに接続するための接続情報を記憶し、接続手段は、接続情報記憶手段に記憶されている接続情報を用いてサーバに接続し、媒体情報取得手段は、接続手段によりサーバに接続して媒体情報を取得し、全件媒体情報取得制御手段は、検出媒体判断手段により記憶されていないと判断された場合に、媒体情報取得手段により全ての媒体情報をサーバから取得することができる。したがって、印刷媒体提供会社や被印刷媒体提供会社がネットワーク上で媒体情報を提供しているサーバに接続することによって、サーバに記憶されている全件の媒体情報を取得することができるので、サーバに不足していた媒体情報が記憶されていれば、その媒体情報を取得することができる。また、全件の媒体情報を取得するので、サーバに記憶されているが、印刷装置には記憶されていない他の媒体情報も同時に取得することができる。
【００６１】
また、請求項２７に係る発明の印刷装置では、請求項２５又は請求項２６に記載の発明の効果に加えて、入力手段は媒体情報を入力し、第４入力制御手段は、媒体情報取得手段により媒体情報が取得できない場合には、入力手段を作動させることができる。したがって、サーバに媒体情報がなかった場合や、サーバに接続できない場合においても、操作者がその情報を入力することができるので、不足した媒体情報が作成され、その被印刷媒体に印刷をおこなうことができる。
【００６２】
また、請求項２８に係る発明の印刷装置では、請求項２５乃至請求項２７のいずれかに記載の発明の効果に加えて、媒体情報記憶手段は、媒体情報取得手段がサーバから取得した媒体情報の全てを記憶することができる。したがって、受信した媒体情報をそのまま記憶できる。
【００６３】
また、請求項２９に係る発明の印刷装置では、請求項２５乃至請求項２７のいずれかに記載の発明の効果に加えて、第３個別媒体情報判断手段は、媒体情報取得手段がサーバから取得した媒体情報のに含まれる各被印刷媒体の媒体情報である個別媒体情報が、媒体情報記憶手段に記憶されている媒体情報に存在するか否かを判断することができる。また、媒体情報記憶制御手段は、第３個別媒体情報判断手段が媒体情報記憶手段に記憶されている媒体情報に存在しないと判断された個別媒体情報のみを媒体情報記憶手段に追加して記憶させることができる。したがって、印刷装置に記憶されていない、新しく記憶する必要がある媒体情報のみを記憶させることができる。
【発明を実施するための最良の形態】
【００６４】
以下、本発明の実施の形態を、第１の実施の形態及び第２の実施の形態を例に挙げて、図面を参照して説明する。図１は、第１の実施の形態の印刷システム４０１のシステム構成図である。本第１の実施の形態では、本発明に係る「印刷データ編集装置」として印刷装置１を接続したパーソナルコンピュータ２００を例に挙げて説明する。図１に示すように、印刷装置１はパーソナルコンピュータ２００に接続しており、パーソナルコンピュータ２００はインターネット３５０を介してサーバ３００に接続している。本第１の実施の形態では、パーソナルコンピュータ２００で作成された印刷データが印刷装置１で印刷される。また、サーバ３００は印刷装置１の製造会社が印刷装置１で印刷されるテープの情報を提供しているサーバである。
【００６５】
次に、第１の実施の形態に係る印刷装置１について、図２乃至図６を参照して説明する。図２は、印刷装置１のカバー５を開放した斜視図であり、図３は、印刷装置１で印刷されるロール紙ユニット７０の斜視図であり、図４は、印刷装置１の断面図である。そして、図５は、印刷装置１の電気的構成を示すブロック図であり、図６は、ＲＡＭ５６の記憶エリアを示す模式図である。
【００６６】
図２に示すように、印刷装置１は下部筐体２にカバー５が回動可能に軸支されており、下部筐体２の内部にテープ７１が装着されたロール紙ユニット７０をセットするロール紙ユニットセット機構４及び印刷機構２０が設けられている。したがって、カバー５を開放するとロール紙ユニット７０を交換することができる。詳細には、ロール紙ユニットセット機構４は下部筐体２の内部奥に、印刷機構２０は内部手前に設けられており、下部筐体２の上面手前にはテープ排出口８が設けられ、テープ排出口７の手前にはテープ受６が立設されている。また、ロール紙ユニットセット機構４において、下部筐体２の右側面には、Ｖ字型のユニット支え３が設けられている。ロール紙ユニットセット機構４にセットされたロール紙ユニット７０に装着されているテープ７１は印刷機構２０で印刷され、テープ排出口７から排出される。また、下部筐体２の上面手前部分には、エラーランプ５９、各種ランプ、各種操作ボタンが設けられている。
【００６７】
また、印刷機構２０には、サーマルヘッド（図示外）及びプラテンローラ（図示外）が設けられており、プラテンローラとサーマルヘッドとによって挟持された状態でテープ７１が搬送されつつ、サーマルヘッドにおける発熱素子に選択的且つ間欠的に通電されることにより、テープ表面の所定領域に所望の画像が形成される。
【００６８】
次に、図３及び図４を参照して、ロール紙ユニット７０について説明する。このロール紙ユニット７０は、ロール軸７２に巻回されたテープ７１が、第１挟持部材３１及び第２挟持部材３２で挟持されている。第１挟持部材３１は、ロール軸７２の内部にぴったり挿入されテープ７１を保持するための略円柱の部材である軸受部７３と、テープ７１のロールが崩れないように支える板状の部材であるガイド３３とから構成されている。また、第２挟持部材３２は、テープ７１のロールが崩れないように支える板状の部材であるガイド３４と、ロール軸７２の内部にぴったり挿入されテープ７１を保持するための略円柱の部材である軸受部７４と、ロール紙ユニットセット機構４のユニット支え３の凹部に挿入され嵌合される凸部３６と、下部筐体２に固定するための係止爪３５が設けられている。
【００６９】
また、第２挟持部材３２には、ガイド３３にはテープ方向に向かって媒体種類表示部６０が立設されている。この媒体種類表示部６０は略長方形の板であり、被印刷媒体の種類を表示するための識別穴６１が開けられている。図３に示す例では、テープ７１の巻き方向に対して４個、テープの幅方向に対して２個、合計８個の識別穴６１を設けることが可能である。また、図４に示すように、下部筐体２の底面９には、ロール紙ユニット７０をセットした際に、媒体種類表示部６０と対面する位置に、テープ７１の巻き方向に対して４個、テープの幅方向に対して２個、合計８個の押下型のユニット検出スイッチ５８が設けられている。そして、ロール紙ユニット７０をロール紙ユニットセット機構４にセットすると、識別穴６１が設けられている位置のユニット検出スイッチ５８は識別穴６１に嵌合し、識別穴６１が設けられていない位置のユニット検出スイッチ５８は押下される。
【００７０】
この識別穴６１は媒体の種類により設けられる位置が異なっており、媒体種類を示す識別情報となっている。識別穴６１は８個設けることができるので、２８種類、即ち２５６種類の媒体種類を表示することができる。尚、図３に示す例では、外側に識別穴６１１，６１２，６１３，６１４の４個、内側の図２における奥側に識別穴６１５の１個の識別穴が設けられている。
【００７１】
次に、図５乃至図６を参照して、印刷装置１の電気的構成について説明する。図５に示すように、制御部４０は、印刷装置１の各機器を制御するＣＰＵ５２と、このＣＰＵ５２にデータバス５１を介して接続された入出力インターフェース５０、ＲＯＭ５５、ＲＡＭ５６とから構成されている。
【００７２】
入出力インターフェース５０には、サーマルヘッド１３を駆動させるための駆動回路４８と、テープカッタ１７を動作させるためのテープカッタ駆動モータ４１を駆動させるための駆動回路４２と、テープ送りモータ４７を駆動させるための駆動回路４９と、パーソナルコンピュータ２００に接続するためのＵＳＢポート２５とが各々接続されている。また、セットされているロール紙ユニットの種類を検出するためのユニット検出スイッチ５８、エラーランプ５９が接続されている。そして、ＵＳＢポート２５にはＵＳＢケーブルが接続され、パーソナルコンピュータ２００に接続している。
【００７３】
ＲＯＭ５５には、印刷データ記憶エリア５６１（図６参照）のデータを読み出してサーマルヘッド１３やテープ送りモータ４７を駆動する印刷駆動制御プログラム、サーマルヘッド１３を駆動する印刷エネルギーを決定するためのデューティ比を定めたパラメータテーブル等が格納されている。また、ＲＡＭ５６にはパーソナルコンピュータ２００から送信された印刷データ等が格納される。また、電源部５７は各駆動回路４２、４８、４９及び制御部４０に接続し、電力を供給している。
【００７４】
次に、図６を参照して印刷装置１のＲＡＭ５６の記憶エリアについて説明する。図６に示すように、ＲＡＭ５６には、印刷データを記憶するための印刷データ記憶エリア５６１、パーソナルコンピュータ２００から送信された媒体情報を記憶する受信媒体情報記憶エリア５６２、セットされているロール紙ユニット７０のセンサ値を記憶するセンサ値記憶エリア５６３、ロール紙ユニット７０の媒体情報を記憶する媒体情報記憶エリア５６４、プログラムの実行中の一時的なデータを記憶するプログラム実行時情報記憶エリア５６５等が設けられている。さらに、ＲＡＭ５６には図示外の各種記憶エリアが設けられている。
【００７５】
次に、図７乃至図９を参照してパーソナルコンピュータ２００について説明する。図７は、パーソナルコンピュータ２００の電気的構成を示すブロック図である。図８は、パーソナルコンピュータ２００のハードディスク装置（以下、ＨＤＤと呼ぶ）２５０の記憶エリアを示す模式図であり、図９は、パーソナルコンピュータ２００のＲＡＭ２３０の記憶エリアを示す模式図である。図７示すように、パーソナルコンピュータ２００には、パーソナルコンピュータ２００の制御を司るＣＰＵ２１０が設けられている。このＣＰＵ２１０には、バス２９０を介し、ＣＰＵ２１０が実行するＢＩＯＳ等のプログラムを記憶したＲＯＭ２２０と、データを一時的に記憶するＲＡＭ２３０と、データの記憶媒体であるＣＤ−ＲＯＭ２４１を挿入し、データの読み込みを行うＣＤ−ＲＯＭドライブ２４０と、データの記憶装置であるＨＤＤ２５０とが接続されている。
【００７６】
さらに、ＣＰＵ２１０には、バス２９０を介して、印刷装置１を含めた外部機器との通信を行うためのＵＳＢインターフェース２６０と、利用者に操作画面を表示するためのモニタ２７１の画面表示処理を行う表示制御部２７０と、利用者が操作の入力を行うキーボード２８１やマウス２８２が接続され、それらの入力の検知を行う入力検知部２８０と、インターネット３５０に接続するためのネットワークインターフェース２６５とが、接続されている。なお、パーソナルコンピュータ２００には、図示外のフロッピー（登録商標）ディスクドライブ、音声等の入出力部、各種インターフェースなどが設けられていてもよい。
【００７７】
なお、ＣＤ−ＲＯＭ２４１には、印刷データ作成プログラムや、このプログラムの実行時に使用される設定やデータ等が記憶されており、導入時には、ＣＤ−ＲＯＭ２４１からＨＤＤ２５０に設けられたプログラム記憶エリア２５１（図６参照）やプログラム関係情報記憶エリア２５２（図６参照）に記憶されるようになっている。尚、パーソナルコンピュータ２００の印刷データ作成プログラム及びその使用データ等の取得方法はＣＤ−ＲＯＭ２４１によるものに限らず、フロッピー（登録商標）ディスクやＭＯといった他の記録媒体であっても限らず、また、パーソナルコンピュータ２００をネットワークに接続させ、ネットワーク上の他の端末から取得してもよい。
【００７８】
次いで、図８を参照してパーソナルコンピュータ２００のＨＤＤ２５０の記憶エリアについて説明する。図８に示すように、ＨＤＤ２５０には、印刷データ作成プログラムを始めとするパーソナルコンピュータ２００で実行される各種のプログラムを記憶するプログラム記憶エリア２５１、プログラムの実行に必要な設定や初期値、データ等の情報を記憶したプログラム関係情報記憶エリア２５２、ロール紙ユニット７０の媒体情報を記憶する媒体情報記憶エリア２５３、サーバ３００へ接続するための情報が記憶されているサーバ接続情報記憶エリア２５４等が設けられている。さらにＨＤＤ２５０には、図示外の各種記憶エリアが設けられている。
【００７９】
次いで、図９を参照してパーソナルコンピュータ２００のＲＡＭ２３０の記憶エリアについて説明する。図９に示すように、ＲＡＭ２３０には、印刷データを記憶するための印刷データ記憶エリア２３１、印刷装置１から送信され、受信した媒体情報を記憶する受信媒体情報記憶エリア２３２、サーバ３００から取得した媒体情報を記憶する取得媒体情報記憶エリア２３３、印刷装置１へ追加する媒体情報を記憶する追加媒体情報記憶エリア２３４、ユーザが入力した媒体情報を記憶するユーザ入力情報記憶エリア２３５、プログラムの実行中の一時的なデータを記憶するプログラム実行時情報記憶エリア２３６等が設けられている。さらに、ＲＡＭ２３０には図示外の各種記憶エリアが設けられている。
【００８０】
ここで、パーソナルコンピュータ２００のＨＤＤ２５０の媒体情報記憶エリア２５３について説明する。図１０は、媒体情報記憶エリア２５３の模式図である。図１０に示すように、本実施の形態の媒体情報記憶エリア２５３には、ユニット名欄、テープ種類欄、テープ幅欄、テープ長欄、センサ値欄、更新日付欄が設けられており、ユニット名欄にはロール紙ユニット７０の名称が記憶されており、テープ種類欄にはテープの種類（ラミネートテープ、ノンラミネートテープ、ダイカットラベル、用紙等の形状及び材質を特定する種類）が記憶されており、テープ幅欄にはロール紙ユニット７０に装着されているテープの幅が記憶されており、テープ長欄にはロール紙ユニット７０に装着されているテープのカット長が記憶されており、センサ値欄にはユニット検出スイッチ５８で検出される各ロール紙ユニット７０のセンサ値が１６進数で記憶されており、更新日付欄にはその媒体情報が記憶された日付が記憶されている。
【００８１】
図１０に示す例では、ユニット名「ラミネートテープ１８＊１００」のテープ種類は「○○テープ」であり、テープ幅は「１８」であり、テープ長は「１００」であり、センサ値は「０Ｘ０１」であり、更新日付は２００４年２月２５日である。また、ユニット名「ラミネートテープ２４＊１３０」のテープ種類は「○○テープ」であり、テープ幅は「２４」であり、テープ長は「１３０」であり、センサ値は「０Ｘ０３」であり、更新日付は２００４年２月２５日である。また、ユニット名「ノンラミネートテープ３６＊９０」のテープ種類は「○○テープ」であり、テープ幅は「３６」であり、テープ長は「９０」であり、センサ値は「０Ｘ１２」であり、更新日付は２００４年２月２５日である。また、ユニット名「ラミネートテープ６＊３０」のテープ種類は「××テープ」であり、テープ幅は「６」であり、テープ長は「３０」であり、センサ値は「０Ｘ１A」であり、更新日付は２００４年２月２５日である。また、ユニット名「ノンラミネートテープ１２＊８０」のテープ種類は「××テープ」であり、テープ幅は「１２」であり、テープ長は「８０」であり、センサ値は「０Ｘ０４」であり、更新日付は２００４年２月２５日である。また、ユニット名「ラミネートテープ１８＊８０」のテープ種類は「××テープ」であり、テープ幅は「１８」であり、テープ長は「８０」であり、センサ値は「０Ｘ１２」であり、更新日付は２００４年２月２５日である。また、ユニット名「ダイカットラベル１８＊４００」のテープ種類は「○○ラベル」であり、テープ幅は「１８」であり、テープ長は「４００」であり、センサ値は「０Ｘ０F」であり、更新日付は２００４年２月２５日である。また、ユニット名「ダイカットラベル１８＊６００」のテープ種類は「○○ラベル」であり、テープ幅は「１８」であり、テープ長は「６００」であり、センサ値は「０Ｘ１B」であり、更新日付は２００４年２月２５日である。また、ユニット名「ペーパー３０＊９０」のテープ種類は「＊＊用紙」であり、テープ幅は「３０」であり、テープ長は「９０」であり、センサ値は「０Ｘ２２」であり、更新日付は２００４年２月２５日である。また、ユニット名「ペーパー３０＊３０」のテープ種類は「＊＊用紙」であり、テープ幅は「３０」であり、テープ長は「３０」であり、センサ値は「０Ｘ２３」であり、更新日付は２００４年２月２５日である。
【００８２】
尚、媒体情報として扱われる情報はこれらに限らず、サーマルヘッド１３の発熱素子の印字エネルギーについての情報や、更新時刻等の他の情報が含まれて入れもよいことは言うまでもない。また、印刷装置１の媒体情報記憶エリア５６４、パーソナルコンピュータの追加媒体情報記憶エリア２３４についても、パーソナルコンピュータ２００の媒体情報記憶エリア２５３と同様の構成となっている。
【００８３】
次に、パーソナルコンピュータ２００のモニタ２７１に表示され、媒体情報を操作者が入力する新規ロール紙ユニット情報入力画面５００について説明する。図１１は、新規ロール紙ユニット情報入力画面５００のイメージ図である。図１１に示すように、新規ロール紙ユニット情報入力画面５００には、「ロール紙ユニット情報を入力してください。」のメッセージ、名称入力欄、種類入力欄、テープ幅入力欄、テープ長入力欄、センサ値入力欄、ＯＫボタン及びキャンセルボタンが設けられている。これらの入力欄に入力する値は、ロール紙ユニット７０の販売パッケージや取扱説明書に記入されていたり、ロール紙ユニット７０の販売会社のホームページで公開されていたりするものとする。図１１に示す例では、名称入力欄には「新ユニット１」が入力されており、種類入力欄には「○○ユニット」が入力されており、テープ幅入力欄には「３０」が入力されており、テープ長入力欄には「６０」が入力されており、センサ値入力欄には「０Ｘ２５」が入力されている。
【００８４】
本第１の実施の形態の印刷装置１では、ＲＡＭ５６の媒体情報記憶エリア５６４に、テープ幅やテープ長等のロール紙ユニット７０に関する媒体情報が記憶されており、ユニット検出スイッチ５８の検出結果により判断されるロール紙ユニット７０を識別するためのセンサ値に基づいて、媒体情報を媒体情報記憶エリア５６４から読み出し、印刷開始位置やサーマルヘッド１３の発熱素子への印字エネルギーが決定される。この媒体情報は、印刷装置１の製造時に製造会社から提供され、印刷装置１に記憶されている。よって、媒体情報記憶エリア５６４に媒体情報が登録されていないロール紙ユニット７０のテープ７１に印刷を行いたい場合には、正常な印刷を行うことができない。そこで、ユニット検出スイッチ５８の検出信号により、新しいロール紙ユニット７０がセットされていると判断された場合には、そのロール紙ユニット７０の情報を取得する必要が生じる。
【００８５】
そこで、本第１の実施の形態の印刷装置１では、新しいロール紙ユニット７０が検出された場合に、不足要求情報をパーソナルコンピュータ２００へ送信し、パーソナルコンピュータ２００から新しいロール紙ユニット７０の媒体情報（不足媒体情報）を送信するように要求する。そして、パーソナルコンピュータ２００では、媒体情報記憶エリア２５３に要求された媒体情報（不足媒体情報）が記憶されていれば、その媒体情報を印刷装置１へ送信する。また、不足媒体情報がなければ、サーバ３００に接続してサーバ３００で提供されている最新の媒体情報を全て取得し、その中に不足媒体情報があれば、印刷装置１へ送信する。また、サーバ３００に接続できない状況や、サーバ３００から取得した最新の全媒体情報（取得媒体情報）の中に不足媒体情報がなかった場合には、操作者に媒体情報を入力させる。
【００８６】
ここで、図１２乃至図１４のフローチャートを参照して印刷装置１の処理について説明する。図１２は印刷装置１のメイン処理のフローチャートであり、図１３はメイン処理の中で行われる印刷処理のフローチャートであり、図１４はメイン処理の中で行われる媒体情報取得処理のフローチャートである。
【００８７】
図１２に示すメイン処理は、印刷装置１に電源が投入されると開始される。そして、ＲＡＭ５６のデータエリアの初期化や印刷機構２０の動作確認等のイニシャル処理が行われる（Ｓ１）。そして、パーソナルコンピュータ２００へ接続する接続処理が行われ（Ｓ２）、パーソナルコンピュータ２００へ接続したら、媒体情報記憶エリア５６４に記憶されている全ての媒体情報がパーソナルコンピュータ２００へ送信される（Ｓ３）。そして、ユニット検出スイッチ５８の信号が検出される（Ｓ４）。そこで、検出された信号が示しているロール紙ユニット７０のセンサ値が、センサ値記憶エリア５６３に記憶されている以前検出されたセンサ値と同じであるか否かにより、ロール紙ユニット７０が新たにセットされたか否かの判断が行われる（Ｓ５）。ここで、印刷装置１の起動時にはＳ１において、センサ値記憶エリア５６３の値も初期化されているので、同じであるとは判断されず（Ｓ５：ＮＯ）、検出されたセンサ値がセンサ値記憶エリア５６３に記憶される（Ｓ６）。そして、そのロール紙ユニット７０が新しい媒体であるか否かの判断が行われる（Ｓ７）。この判断は、媒体情報記憶エリア５６４のセンサ値欄にそのセンサ値が記憶されており、媒体情報が登録されているか否かにより行われ、登録されている場合には、新しい媒体でないので（Ｓ７：ＮＯ）、何もせずにＳ１０へ進む。
【００８８】
また、検出されたセンサ値が媒体情報記憶エリア５６４のセンサ値欄に記憶されてない場合には、新しいロール紙ユニット７０であると判断されて（Ｓ７：ＹＥＳ）、パーソナルコンピュータ２００へ不足要求情報が送信される（Ｓ８）。尚、印刷装置１の起動時にロール紙ユニット７０がセットされていない場合には、どのユニット検出スイッチ５８も押下されていないので、センサ値記憶エリア５６３の初期化値「００００」と同様の値を取る。そこで、この場合には、センサ値記憶エリア５６３に記憶されているセンサ値と同じであると判断されて（Ｓ５：ＹＥＳ）、何もせずにＳ１０へ進む。
【００８９】
そして、パーソナルコンピュータ２００から印刷データを受信したか否かの判断が行われ（Ｓ１０）、印刷データを受信していれば（Ｓ１０：ＹＥＳ）、印刷処理が行われる（Ｓ１１、図１３参照）。また、印刷データを受信していなければ（Ｓ１０：ＮＯ）、パーソナルコンピュータ２００から媒体情報を受信したか否かの判断が行われ（Ｓ１２）、媒体情報を受信していれば（Ｓ１２：ＹＥＳ）、媒体情報取得処理が行われる（Ｓ１３、図１４参照）。また、媒体情報を受信していなければ（Ｓ１２：ＮＯ）、パーソナルコンピュータ２００から取得エラー情報を受信したか否かの判断が行われ（Ｓ１４）、取得エラー情報を受信していれば（Ｓ１４：ＹＥＳ）、要求した媒体情報をパーソナルコンピュータ２００から取得できなかった旨を報知するためにエラーランプ５９が点灯され、取得エラーが表示される（Ｓ１５）。また、取得エラー情報も受信しなかった場合には（Ｓ１４：ＮＯ）、その他の処理が行われる（Ｓ１６）。
【００９０】
そして、Ｓ４へ戻り、再びユニット検出スイッチ５８の信号が検出される（Ｓ４）。ここで検出された信号が示しているロール紙ユニット７０のセンサ値が、センサ値記憶エリア５６３に記憶されている以前検出されたセンサ値と同じである場合には（Ｓ５：ＹＥＳ）、既に新しいロール紙ユニット７０であるか否かの判断とそれに対する処理（Ｓ６〜Ｓ８）は行われているので、何もせずにＳ１０へ進み、パーソナルコンピュータ２００からのデータ受信に対する処理（Ｓ１０〜Ｓ１５）や、その他の処理（Ｓ１６）が行われる。そして、Ｓ４へ戻り、繰り返しこれらの処理（Ｓ４〜Ｓ１６）が行われる。
【００９１】
ここで、図１３のフローチャートを参照して、パーソナルコンピュータ２００から送信された印刷データを印刷する印刷処理（Ｓ１０：ＹＥＳ，Ｓ１１）について説明する。まず、受信した印刷データで指定されているロール紙ユニット７０のセンサ値がセットされているロール紙ユニット７０のセンサ値であるか否かの判断が行われる（Ｓ２１）。印刷データに含まれているセンサ値がセンサ値記憶エリア５６３に記憶されているセンサ値であれば（Ｓ２１：ＹＥＳ）、正常に印刷を行うことができるので、印刷開始情報がパーソナルコンピュータ２００へ送信され（Ｓ２２）、印刷が実行される（Ｓ２３）。そして、印刷が終了したら、印刷終了情報がパーソナルコンピュータ２００へ送信され（Ｓ２４）、印刷処理は終了する。尚、印刷開始情報及び印刷終了情報は、パーソナルコンピュータ２００において「印刷実行中画面」の表示制御を行うためのものである。
【００９２】
また、受信した印刷データで指定されているロール紙ユニット７０のセンサ値がセットされているロール紙ユニット７０のセンサ値でなければ（Ｓ２１：ＮＯ）、正常な印刷を行うことができないので、印刷エラー情報がパーソナルコンピュータ２００へ送信され（Ｓ２５）、印刷は行われずに印刷処理は終了する。
【００９３】
ここで、図１４のフローチャートを参照して、媒体情報をパーソナルコンピュータ２００から受信した際に行われる媒体情報取得処理（Ｓ１２：ＹＥＳ，Ｓ１３）について説明する。パーソナルコンピュータ２００から送信される媒体情報は、パーソナルコンピュータ２００の媒体情報記憶エリア２５３に記憶されている全件の媒体情報が送信される場合と、１件の媒体情報のみが送信される場合とがある。
【００９４】
前者は、パーソナルコンピュータ２００が印刷データを送信する前に送信される（図１８、Ｓ１６１参照）。これは、新しいロール紙ユニット７０がセットされた際に、媒体情報が取得できなかった場合に対処するためのものである。媒体情報が取得できなかった場合とは、パーソナルコンピュータ２００において、不足要求情報受信時に媒体情報記憶エリア２５３にその媒体情報が記憶されておらず、サーバ３００への接続もできず、操作者による入力も行われなかった場合である。例えば、パーソナルコンピュータ２００がインターネット３５０に接続する環境がなかった場合やサーバ３００がダウンしていたりメンテナンス中であったりした場合にはサーバ３００へ接続できない。そして、操作者による入力が行われなかった場合は、操作者が入力すべき値をその時点で知らなかった場合や誤って入力を中止してしまった場合が考えられる。そして、その後、サーバ３００に接続して媒体情報を取得したり、ユーザによる入力が行われた場合には、新しいロール紙ユニット７０検出時にはパーソナルコンピュータ２００が媒体情報を取得できなかったが、印刷時にはその媒体情報を有していることになる。そこで、印刷データ送信時に媒体情報記憶エリア２５３に記憶されている全件の媒体情報が印刷装置１へ送信される。
【００９５】
また、後者は、印刷装置１がパーソナルコンピュータ２００へ要求した不足媒体情報が送信される場合や、さらに、印刷装置１が起動時に媒体情報記憶エリア５６４に記憶されている全件の媒体情報を送信した際に（図１２、Ｓ３参照）、パーソナルコンピュータ２００の媒体情報記憶エリア２５３には記憶されているが、その全件の媒体情報には記憶されていない媒体情報が存在し、印刷装置１へ追加するためにその媒体情報が送信される場合である。
【００９６】
そこで、まず受信した媒体情報が全件の媒体情報であるか否かの判断が行われ（Ｓ３１）、全件の媒体情報であれば（Ｓ３１：ＹＥＳ）、媒体情報記憶エリア５６４に記憶されている媒体情報が受信した全件の媒体情報に全件書き替えられる（上書き）（Ｓ３２）。また、全件の媒体情報でなければ（Ｓ３１：ＮＯ）、１件の媒体情報なので、媒体情報記憶エリア５６４にその情報が既に登録されているか否かが確認され（Ｓ３３）、既に登録されていれば（Ｓ３３：ＹＥＳ）、何もしないが、登録されていなければ（Ｓ３３：ＮＯ）、媒体情報記憶エリア５６４へ受信した１件の媒体情報が追加記憶される（Ｓ３４）。尚、Ｓ３３の判断は、登録内容も比較され、センサ値は記憶されていても、中身が異なる場合には受信した情報に書き替えられる。そして、媒体情報取得処理は終了する。
【００９７】
次に、図１５乃至図１８のフローチャートを参照して、パーソナルコンピュータ２００の処理について説明する。図１５はパーソナルコンピュータ２００のメイン処理のフローチャートであり、図１６はメイン処理の中で行われる全件チェック処理のフローチャートであり、図１７はメイン処理の中で行われる不足要求処理のフローチャートであり、図１８はメイン処理の中で行われる印刷処理のフローチャートである。
【００９８】
図１５に示すメイン処理は、印刷装置１から接続された際に開始される。そして、キーボード２８１やマウス２８２からのユーザ入力が行われたか否かの判断が成される（Ｓ１０１）。ユーザ入力が行われていなければ（Ｓ１０１：ＮＯ）、印刷装置１から不足要求情報を受信したか否かの判断が行われ（Ｓ１１０）、不足要求情報を受信していなければ（Ｓ１１０：ＮＯ）、全件の媒体情報を受信したか否かの判断が行われる（Ｓ１１２）。全件の媒体情報も受信していなければ（Ｓ１１２：ＮＯ）、ＯＳのその他の処理が行われ（Ｓ１１４）、Ｓ１０１へ戻る。そして、ユーザ入力、不足要求情報の受信、又は、全件の媒体情報の受信が行われるまで（Ｓ１０１：ＹＥＳ、Ｓ１１０：ＹＥＳ、Ｓ１１２：ＹＥＳ）、Ｓ１０１，Ｓ１１０，Ｓ１１２，Ｓ１１４の処理が繰り返し行われる。
【００９９】
そして、ユーザ入力が行われたら（Ｓ１０１：ＹＥＳ）、印刷装置１で印刷する印刷データを編集するアプリケーションが起動しているか否かの判断が行われる（Ｓ１０２）。そして、アプリケーションが起動していなければ（Ｓ１０２：ＮＯ）、アプリケーションが起動され（Ｓ１０３）、印刷データ編集のための画面であるエディタ（図示外）がモニタ２７１に表示される（Ｓ１０４）。そして、Ｓ１０５へ進むが、印刷指示はされていないので（Ｓ１０５：ＮＯ）、その他のアプリケーショーン固有の処理が行われ（Ｓ１０６）、Ｓ１０１へ戻る。
【０１００】
そして、Ｓ１０１，Ｓ１１０，Ｓ１１２，Ｓ１１４の処理が繰り返し行われる中でユーザ入力を受け付けたら（Ｓ１０１：ＹＥＳ）、アプリケーションは起動しているので（Ｓ１０２：ＹＥＳ）、入力がこのアプリケーションに対する操作であるか否かの判断が行われ（Ｓ１０７）、このアプリケーションに対する操作でなければ（Ｓ１０７：ＮＯ）、その操作に対応する他の処理が行われ（Ｓ１０９）、Ｓ１０１へ戻る。また、このアプリケーションに対する処理であれば（Ｓ１０７：ＹＥＳ）、その操作が印刷指示であったか否かの判断が行われる（Ｓ１０５）。そして、印刷指示であれば（Ｓ１０５：ＹＥＳ）、印刷装置１へ印刷データを送信して印刷を実行させる印刷処理が行われ（Ｓ１０８、図１８参照）、Ｓ１０１へ戻る。また、印刷指示出なければ（Ｓ１０５：ＮＯ）、その指示に対する処理が行われて（Ｓ１０６）、Ｓ１０１へ戻る。
【０１０１】
また、不足要求情報を受信した場合には（Ｓ１０１：ＮＯ，Ｓ１１０：ＹＥＳ）、印刷装置１から要求された媒体情報を印刷装置１へ送信する不足要求処理が行われ（Ｓ１１１、図１７）、Ｓ１０１へ戻る。また、全件の媒体情報を受信した場合には（Ｓ１０１：ＮＯ，Ｓ１１０：ＮＯ，Ｓ１１２：ＹＥＳ）、受信した全件媒体情報に含まれず、媒体情報記憶エリア２５３には記憶されている媒体情報を印刷装置１へ送信する全件チェック処理が行われる（Ｓ１１３、図１６）。そして、Ｓ１０１へ戻る。このメイン処理ではこれらの処理が繰り返し実施されている。
【０１０２】
ここで、図１６を参照して、全件チェック処理について説明する。印刷装置１は、起動時に媒体情報記憶エリア５６４に記憶されている全件の媒体情報を送信してくる（図１２、Ｓ３参照）。そこで、送信されてきた全件の媒体情報に含まれず、媒体情報記憶エリア２５３に含まれている媒体情報を印刷装置１の媒体情報記憶エリア５６４に追加するため、受信した全件の媒体情報と媒体情報記憶エリア２５３に記憶されている媒体情報を比較する。
【０１０３】
まず、媒体情報記憶エリア２５３に記憶されている媒体情報が１件読み出される（Ｓ１３１）。そして、読み出した媒体情報（読出媒体情報）のセンサ値の媒体情報が受信した媒体情報（受信時に受信媒体情報記憶エリア２３２に記憶された受信媒体情報）にあるか否かの判断が行われ（Ｓ１３２）、なければ（Ｓ１３２：ＮＯ）、追加媒体情報記憶エリア２３４に読出媒体情報が記憶される（Ｓ１３４）。また、受信媒体情報にあれば（Ｓ１３２：ＹＥＳ）、媒体情報の各項目の内容が一致しているか否かの判断が行われる（Ｓ１３３）。一致していなければ（Ｓ１３３：ＮＯ）、そのセンサ値の媒体情報に変更があったということなので、追加媒体情報記憶エリア２３４に読出媒体情報が記憶される（Ｓ１３４）。また、内容も一致していれば（Ｓ１３３：ＹＥＳ）、その媒体情報を印刷装置１へ送信する必要はないので何もしない。
【０１０４】
そして、媒体情報記憶エリア５６４の全ての媒体情報の処理が行われたか否かの判断がなされ（Ｓ１３５）、全ての媒体情報の処理が終了していなければ（Ｓ１３５：ＮＯ）、Ｓ１３１へ戻り、次の媒体情報が１件読み出され（Ｓ１３１）、受信媒体情報との比較処理が行われる（Ｓ１３２〜Ｓ１３４）。そして、Ｓ１３１〜Ｓ１３４の処理が繰り返され、全ての媒体情報の処理が終了したら（Ｓ１３５：ＹＥＳ）、追加媒体情報記憶エリア２３４に追加媒体情報が記憶されており、未登録の媒体情報があったか否かの判断が行われ（Ｓ１３６）、未登録の媒体情報があれば（Ｓ１３６：ＹＥＳ）、媒体情報が１件ずつ印刷装置１へ送信され（Ｓ１３７）、全ての追加媒体情報の送信が終了したら、全件チェック処理は終了する。また、未登録の媒体情報がなければ（Ｓ１３６：ＮＯ）、何もせずに全件チェック処理は終了する。
【０１０５】
次に、図１７を参照して、不足要求処理について説明する。印刷装置１は、新しいロール紙ユニット７０がセットされたことを検出した際に、そのロール紙ユニット７０の媒体情報の送信をパーソナルコンピュータ２００へ要求してくる（図１２、Ｓ８参照）。そこで、不足媒体情報を印刷装置１へ送信する。また、送信できない場合には取得エラー情報を送信する。
【０１０６】
まず、不足媒体情報が媒体情報記憶エリア２５３に記憶されているか否かの判断が行われる（Ｓ１４１）。媒体情報記憶エリア２５３に記憶されていれば（Ｓ１４１：ＹＥＳ）、その情報を印刷装置１へ送信するので、追加媒体情報記憶エリア２３４へ媒体情報が記憶され（Ｓ１４２）、印刷装置１へ追加媒体情報記憶エリア２３４に記憶されている媒体情報が送信される（Ｓ１５８）。そして、不足要求処理は終了する。
【０１０７】
また、媒体情報記憶エリア２５３に記憶されていなければ（１４１：ＮＯ）、サーバ３００から不足媒体情報を取得する必要がある。そこで、インターネット３５０に接続できる設定が成されているか否かの判断が行われ（Ｓ１４３）、設定が成されていれば（Ｓ１４３：ＹＥＳ）、サーバ接続情報記憶エリア２５４に記憶されている情報に基づいてサーバ３００への接続処理が行われる（Ｓ１４４）。そして、サーバ３００に接続できたら（Ｓ１４５：ＹＥＳ）、サーバ３００へ全件の媒体情報を要求する信号が送信される（Ｓ１４６）。そして、サーバ３００から媒体情報が取得できたら（Ｓ１４７：ＹＥＳ）、取得媒体情報が媒体情報記憶エリア２５３に書き替えられる（上書き）（Ｓ１４８）。そして、媒体情報記憶エリア２５３に不足媒体情報があるか否かの判断が行われ（Ｓ１４９）、不足媒体情報があれば（Ｓ１４９：ＹＥＳ）、不足媒体情報を取得できているので、追加媒体情報記憶エリア２３４に記憶されて（Ｓ１５０）、印刷装置１へ送信される（Ｓ１５８）。そして、不足要求処理は終了する。
【０１０８】
また、インターネット３５０に接続できる設定が成されていなかったり（Ｓ１４３：ＮＯ）、サーバ３００に接続できなかったり（Ｓ１４５：ＮＯ）、サーバ３００から媒体情報を取得できなかったり（Ｓ１４７：ＮＯ）、取得媒体情報に不足媒体情報が含まれていなかったりした場合には（Ｓ１４９：ＮＯ）、媒体情報記憶エリア２５３に不足媒体情報は記憶されていないので、操作者に媒体情報の各項目を入力させるユーザ入力処理が行われる（Ｓ１５１〜Ｓ１５７）。そこで、まずモニタ２７１に新規ロール紙ユニット情報入力画面５００が表示される（Ｓ１５１）。そして、新規ロール紙ユニット情報入力画面５００の入力項目への入力受付処理が行われ（Ｓ１５２）、ＯＫボタンもキャンセルボタンも選択されないうちは（Ｓ１５３：ＮＯ、Ｓ１５６：ＮＯ）、Ｓ１５２へ戻り、繰り返し入力受付処理及びＯＫボタン、キャンセルボタンの受付処理（Ｓ１５２，Ｓ１５３，Ｓ１５６）が行われる。ＯＫボタンが選択されずに（Ｓ１５３：ＮＯ）、キャンセルボタンが選択されたら（Ｓ１５６：ＹＥＳ）、取得エラー情報が印刷装置１へ送信されて（Ｓ１５７）、不足要求処理は終了する。
【０１０９】
ＯＫボタンが選択されて（Ｓ１５３：ＹＥＳ）、媒体情報が媒体情報記憶エリア２５３に追加記憶されたら（Ｓ１５４）、追加媒体情報記憶エリア２３４にもその媒体情報が記憶され（Ｓ１５５）、追加媒体情報記憶エリア２３４に記憶されている媒体情報が印刷装置１へ送信される（Ｓ１５８）。そして、不足要求処理は終了する。
【０１１０】
次に、図１８を参照して、印刷処理について説明する。ここでは、まず媒体情報記憶エリア２５３に記憶されている媒体情報が全件印刷装置１へ送信され（Ｓ１６１）、印刷データが送信される（Ｓ１６２）。次いで、印刷装置１から印刷開始情報を受信した場合には（Ｓ１６３：ＹＥＳ）、印刷装置１で印刷中であることを示す印刷中画面（図示外）がモニタ２７１で表示され（Ｓ１６６）、Ｓ１６３へ戻る。また、印刷終了情報を受信した場合には（Ｓ１６３：ＮＯ，Ｓ１６４：ＹＥＳ）、印刷中画面を消去して（Ｓ１６７）、印刷処理は終了する。また、印刷エラー情報を受信した場合には（Ｓ１６３：ＮＯ，Ｓ１６４：ＮＯ，Ｓ１６５：ＹＥＳ）、印刷が正常に行えなかったことを示す印刷エラー画面がモニタ２７１に表示される（Ｓ１６８）。そして、印刷処理は終了する。また、印刷終了情報又は印刷エラー情報を受信しないうちは（Ｓ１６４：ＮＯ、Ｓ１６５：ＮＯ）、繰り返しＳ１６３〜Ｓ１６４の処理が実施され、印刷終了情報又は印刷エラー情報の受信を待機する。
【０１１１】
以上のようにして、本第１の実施の形態では、印刷装置１において新しいロール紙ユニット７０の媒体情報を取得することができる。尚、ユニット検出スイッチ５８が「被印刷媒体検出手段」に該当し、印刷装置１のＲＡＭ５６の媒体情報記憶エリア５６４が「印刷装置側媒体情報記憶手段」に該当し、パーソナルコンピュータ２００のＨＤＤ２５０の媒体情報記憶エリア２５３が「編集装置側媒体情報記憶手段」に該当し、ＨＤＤ２５０のサーバ接続情報記憶エリア２５４が「接続情報記憶手段」に該当し、ネットワークインターフェース２６５が「接続手段」に該当する。また、新規ロール紙ユニット情報入力画面５００が「入力手段」に該当する。
【０１１２】
また、図１５に示すパーソナルコンピュータ２００のメイン処理のＳ１１０の処理を行うＣＰＵ２１０が「不足要求情報受信手段」に相当する。また、図１７に示す不足要求処理のＳ１４１の処理を行うＣＰＵ２１０が「抽出手段」に相当し、Ｓ１４２，Ｓ１５８の処理を行うＣＰＵ２１０が「不足媒体情報送信制御手段」に相当する。また、Ｓ１４４，Ｓ１４６，Ｓ１４７の処理を行うＣＰＵ２１０が「媒体情報取得手段」に相当し、Ｓ１４６，Ｓ１４７の処理を行うＣＰＵ２１０が「全件媒体情報取得制御手段」に相当し、Ｓ１５４の処理を行うＣＰＵ２１０が「入力媒体情報記憶制御手段」に相当する。また、図１６に示す全件チェック処理のＳ１３７、図１７に示す不足要求処理のＳ１５８を行うＣＰＵ２１０が「編集装置側媒体情報送信処理」に相当する。また、不足要求処理のＳ１４３〜Ｓ１４９，Ｓ１５１〜Ｓ１５４の処理を実行するＣＰＵ２１０が「第２入力制御手段」に相当する。
【０１１３】
また、図１２に示す印刷装置１のメイン処理のＳ３の処理を行うＣＰＵ５２が「印刷装置側媒体情報送信手段」に相当する。そして、図１５に示すパーソナルコンピュータ２００のメイン処理のＳ１１２の処理を行うＣＰＵ２１０が「編集装置側媒体情報受信手段」に相当し、図１６に示す全件チェック処理Ｓ１３１〜Ｓ１３３，Ｓ１３５の処理を行うＣＰＵ２１０が「第２個別媒体情報判断手段」に相当し、Ｓ１３６，Ｓ１３７の処理を行うＣＰＵ２１０が「個別媒体情報送信手段」に相当する。
【０１１４】
また、図１２に示す印刷装置１のメイン処理のＳ７の処理を行うＣＰＵ５２が「検出媒体判断手段」に相当し、Ｓ８の処理を行うＣＰＵ５２が「不足要求情報送信手段」に相当し、Ｓ１２の処理を行うＣＰＵ５２が「印刷装置側媒体情報受信手段」に相当する。また、図１４に示す媒体情報取得処理のＳ３２，Ｓ３４の処理を行うＣＰＵ５２が「媒体情報記憶制御手段」に相当する。
【０１１５】
尚、第１の実施の形態は、以上詳述した形態に限定されるものではなく、種々の変更が可能である。そこで、第１の実施の形態の第１変形例について、図１９のフローチャートを参照して説明する。図１９は、パーソナルコンピュータ２００のメイン処理の中で行われる不足要求処理のフローチャートである。第１の実施の形態では、パーソナルコンピュータ２００が印刷装置１から不足要求情報を受信した際に、不足媒体情報が媒体情報記憶エリア２５３に記憶されていなかった場合、サーバ３００に接続して全件の媒体情報をサーバ３００から取得しているが、本第１変形例では、サーバ３００からは不足媒体情報のみを取得する。そこで、図１７に示す第１の実施の形態の不足要求処理のフローチャートにおけるＳ１４６〜Ｓ１５０の処理が、図１９に示す第１変形例のＳ２４６〜Ｓ２５０の処理となる。尚、図１９に示す第１変形例のその他のステップ（Ｓ２４１〜Ｓ２４５，Ｓ２５１〜Ｓ２５８）については、図１７に示す第１の実施の形態の不足要求処理のＳ１４１〜Ｓ１４５，Ｓ１５１〜Ｓ１５８と同様であるので、引用して説明を省略する。
【０１１６】
図１９に示すように、不足媒体情報が媒体情報記憶エリア２５３に記憶されていない場合に（Ｓ２４１：ＮＯ）、サーバ３００に接続できたら（Ｓ２４３：ＹＥＳ，Ｓ２４４，Ｓ２５５：ＹＥＳ）、サーバ３００へ不足媒体情報を要求する信号が送信される（Ｓ２４６）。そして、サーバ３００から不足媒体情報が取得できたら（Ｓ２４７：ＹＥＳ）、媒体情報記憶エリア２５３にその媒体情報が追加記憶される（Ｓ２４８）。そして、追加媒体情報記憶エリア２３４に記憶されて（Ｓ２５０）、印刷装置１へ送信される（Ｓ２５８）。そして、不足要求処理は終了する。尚、Ｓ２４６，Ｓ２４７の処理を行うＣＰＵ２１０が「不足媒体情報取得制御手段」に相当する。
【０１１７】
次に、第１の実施の形態の第２変形例について説明する。第１の実施の形態及び第１の実施の形態の第２変形例では、パーソナルコンピュータ２００が印刷装置１から不足媒体情報を受信した際に、媒体情報記憶エリア２５３に記憶されていた媒体情報、サーバ３００から取得した媒体情報、又は、ユーザ入力された媒体情報を、印刷装置１へ返信しているが、本第２変形例では、不足媒体情報を受信した際には、要求された不足媒体情報を含む全件の媒体情報を印刷装置１へ送信する。
【０１１８】
即ち、第１の実施の形態では、図１７に示す不足要求処理のＳ１５８において、追加媒体情報記憶エリア２３４に記憶されている媒体情報をが送信されるのではなく、媒体情報記憶エリア２５３に記憶されている全件の媒体情報が送信される。尚、本第２変形例の場合には、追加媒体情報記憶エリア２３４に媒体情報を記憶する必要はないので、Ｓ１４２、Ｓ１５０，Ｓ１５５の処理は行われない。また、第１の実施の形態の第１変形例では、図１９に示す不足要求処理のＳ２５８において、追加媒体情報記憶エリア２３４に記憶されている媒体情報が送信されるのではなく、媒体情報記憶エリア２５３に記憶されている全件の媒体情報が送信される。尚、本第２変形例の場合には、追加媒体情報記憶エリア２３４に媒体情報を記憶する必要はないので、Ｓ２４２、Ｓ２５０，Ｓ２５５の処理は行われない。
【０１１９】
次に、第１の実施の形態の第３変形例について説明する。上記第１実施の形態及びその変形例では、不足媒体情報が媒体情報記憶エリア２５３に記憶されていない場合に、サーバ３００から媒体情報を取得したが、第３変形例では、サーバ３００に接続する構成を持たせず、媒体情報記憶エリア２５３に記憶されていない場合には、ユーザ入力のみで対応する。従って、図１７に示す不足要求処理においては、媒体情報記憶エリア２５３に記憶されていない場合には（Ｓ１４１：ＮＯ）、Ｓ１５１へ進み、ユーザ入力の処理が行われる（Ｓ１５１〜Ｓ１５７）。尚、Ｓ１４３〜Ｓ１５０の処理は行われない。また、図１９に示す不足要求処理においては、媒体情報記憶エリア２５３に記憶されていない場合には（Ｓ２４１：ＮＯ）、Ｓ２５１へ進み、ユーザ入力の処理が行われる（Ｓ２５１〜Ｓ２５７）。尚、Ｓ２４３〜Ｓ２５０の処理は行われない。これらの処理を行うＣＰＵ２１０が「第１入力制御手段」に相当する。
【０１２０】
次に、第１の実施の形態の第４変形例について説明する。上記第１の実施の形態及びその変形例では、印刷装置１の起動時に全件の媒体情報がパーソナルコンピュータ２００へ送信されており（図１２、Ｓ３参照）、パーソナルコンピュータ２００では、媒体情報記憶エリア２５３に記憶されており、印刷装置１から受信した全件媒体情報には存在しない媒体情報を追加媒体情報として印刷装置１へ送信し（図１６参照）、印刷装置１では、受信した追加媒体情報を媒体情報記憶エリア５６４へ追加記憶している（図１４、Ｓ３４参照）。本第４変形例では、パーソナルコンピュータ２００において、媒体情報記憶エリア２５３に記憶されており、印刷装置１から受信した全件媒体情報には存在しない場合に、媒体情報記憶エリア２５３に記憶されている全件の媒体情報を印刷装置１へ送信する。つまり、図１６に示す、パーソナルコンピュータ２００の全件チェック処理において、未登録の媒体情報があった場合に（Ｓ１３６：ＹＥＳ）、Ｓ１３７において媒体情報記憶エリア２５３に記憶されている全件の媒体情報が印刷装置１へ送信される。尚、Ｓ１３４では、追加媒体情報記憶エリア２３４へ媒体情報を記憶する代わりに、未登録媒体情報カウンタを設けて、未登録媒体情報の件数をカウントアップするようにしてもよい。
【０１２１】
次に、第１の実施の形態の第５変形例について説明する。印刷装置１の起動時に全件の媒体情報がパーソナルコンピュータ２００へ送信されており（図１２、Ｓ３参照）、パーソナルコンピュータ２００では、媒体情報記憶エリア２５３に記憶されており、印刷装置１から受信した全件媒体情報には存在しない媒体情報を追加媒体情報として印刷装置１へ送信し（図１６参照）、印刷装置１では、受信した追加媒体情報を媒体情報記憶エリア５６４へ追加記憶している（図１４、Ｓ３４参照）。本第５変形例では、印刷装置１からは全件の媒体情報をパーソナルコンピュータ２００へ送信せず、パーソナルコンピュータ２００と印刷装置１とが接続した際に、パーソナルコンピュータ２００が媒体情報記憶エリア２５３に記憶されている媒体情報を全て送信する。
【０１２２】
つまり、図１２に示す、印刷装置１のメイン処理においては、全件の媒体情報をパーソナルコンピュータ２００へ送信する処理（Ｓ３）は行われない。そして、図１５に示す、パーソナルコンピュータ２００のメイン処理において、アプリケーションの起動時に（Ｓ１０１：ＹＥＳ，Ｓ１０２：ＮＯ）、媒体情報記憶エリア２５３の全件の媒体情報が印刷装置１へ送信される。尚、この処理は、アプリケーションの起動（Ｓ１０３）の後や、エディタの表示処理（Ｓ１０４）の後であってもよい。そして、印刷装置１では、メイン処理において、媒体情報を受信したと判断され（図１２、Ｓ１２：ＹＥＳ）、媒体情報取得処理において全件の媒体情報を受信したと判断され（図１４、Ｓ３１：ＹＥＳ）、媒体情報記憶エリア５６４に記憶されている媒体情報が受信した全件の媒体情報に全件書き替えられる（Ｓ３２）。
【０１２３】
次に、第１の実施の形態の第６変形例について、図２０のフローチャートを参照して説明する。図２０は、印刷装置１のメイン処理の中で行われる媒体情報取得処理のフローチャートである。上記第１の実施の形態及びその変形例では、印刷装置１がパーソナルコンピュータ２００から全件の媒体情報を受信した際に、受信した媒体情報を媒体情報記憶エリア５６４へ上書きしているが、本第６変形例では、受信した媒体情報を媒体情報記憶エリア５６４に記憶されている媒体情報と比較し、媒体情報記憶エリア５６４に記憶されていなかった媒体情報及び内容の異なる媒体情報（変更されている媒体情報）のみを追加記憶、又は書き替えする。そこで、図１４に示す第１の実施の形態の媒体情報取得処理のフローチャートにおける、Ｓ３２の処理が、図２０に示すＳ２２１〜Ｓ２２６の処理となる。尚、図２０に示す第６変形例のその他のステップ（Ｓ２３１：ＮＯ，Ｓ２３３，Ｓ２３４）については、図１４に示す第１の実施の形態の媒体情報取得処理のＳ３１：ＮＯ，Ｓ３３，Ｓ３４と同様であるので、引用して説明を省略する。
【０１２４】
図２０に示すように、全件の媒体情報を受信したら（Ｓ２３１：ＹＥＳ）、受信した媒体情報から１件の媒体情報が読み出される（Ｓ２２１）、そして、読み出された媒体情報が媒体情報記憶エリア５６４に記憶されているか否かの判断が行われる（Ｓ２２２）。そして、登録されていなければ（Ｓ２２２：ＮＯ）、媒体情報記憶エリア５６４に追加記憶される（Ｓ２２３）。また、登録されている場合には（Ｓ２２２：ＹＥＳ）、各項目の内容が一致しているか否かの判断が行われる（Ｓ２２４）。一致していなければ（Ｓ２２４：ＮＯ）、そのセンサ値の媒体情報に変更があったということなので、媒体情報記憶エリア５６４の内容が受信した媒体情報の内容に書き替えられる（上書き）（Ｓ２２５）。また、内容も一致していれば（Ｓ２２４）、その媒体情報を記憶する必要はないので、何もしない。
【０１２５】
そして、媒体情報記憶エリア５６４の全ての媒体情報の処理が行われたか否かの判断がなされ（Ｓ２２６）、全ての媒体情報の処理が終了していなければ（Ｓ２２６：ＮＯ）、Ｓ２２１へ戻り、次の媒体情報が１件読み出され（Ｓ２２１）、媒体情報記憶エリア５６４との比較処理が行われる（Ｓ２２３〜Ｓ２２５）。そして、Ｓ２２１〜Ｓ２２６の処理が繰り返されて、全ての媒体情報の処理が終了したら（Ｓ２２６：ＹＥＳ）、媒体情報取得処理は終了する。尚、このＳ２２１〜Ｓ２２６の処理を実行するＣＰＵ５２が「第１個別媒体情報判断手段」に相当する。
【０１２６】
次に、第１の実施の形態の第７変形例について説明する。本第７変形例においては、印刷装置１はパーソナルコンピュータ２００に接続されているが、必ずしもサーバ３００に接続している必要はない。そして、上記第１の実施の形態及びその変形例では、印刷装置１において新しいロール紙ユニット７０が検出された際には、そのロール紙ユニット７０の媒体情報を要求する不足媒体情報がパーソナルコンピュータ２００へ送信されていた。本第７変形例では、この際に新しいロール紙ユニット７０の媒体情報のみを要求するのではなく、パーソナルコンピュータ２００に記憶されている全件の媒体情報を要求する全件要求情報をパーソナルコンピュータ２００へ送信する。
【０１２７】
つまり、印刷装置１では、図１２に示すメイン処理において、検出されたセンサ値が媒体情報記憶エリア５６４のセンサ値欄に記憶されておらず、新しいロール紙ユニット７０であると判断された場合には（Ｓ７：ＹＥＳ）、Ｓ８において、不足要求情報でなく、全件要求情報がパーソナルコンピュータ２００へ送信される（この処理を実施するＣＰＵ５２が「全件要求情報送信手段」に相当する）。また、パーソナルコンピュータ２００では、図１５に示すメイン処理のＳ１１０では、不足要求情報の受信下か否かの判断をするのではなく、全件要求情報を受信したか否かの判断が行われる（この処理を行うＣＰＵ２１０が「全件要求情報受信手段」に相当する）。そして、全件要求情報を受信した場合には（Ｓ１１０：ＹＥＳ）、不足要求処理（図１７参照）が行われるのではなく、媒体情報記憶エリア２５３に記憶されている全件の媒体情報が印刷装置１に送信される（この処理を行うＣＰＵ２１０が「全件媒体情報送信制御手段」に相当する）。
【０１２８】
次に、第２の実施の形態について、図２１乃至図２４を参照して説明する。図２１は、第２の実施の形態の印刷システム４０２のシステム構成図であり、図２２は、第２の実施の形態における印刷装置１の電気的構成を示すブロック図である。本第２の実施の形態では、図２１に示すように、印刷装置１はインターネット３５０を介してサーバ３００に接続している。本第２の実施の形態では、印刷装置１において印刷内容の編集が行われる。そこで、本第２の実施の形態の印刷装置１は、図２２に示すブロック図のように、図５に示す第１の実施の形態の印刷装置１に加えて、キー５３及びディスプレイ５４が設けられ、入出力インターフェース５０に接続している。また、インターネット３５０に接続するためのネットワークインターフェース２６も入出力インターフェース５０に接続している。尚、ＲＯＭ５５にはサーバ３００へ接続するための接続情報が記憶されている。
【０１２９】
ここで、図２３及び図２４のフローチャートを参照して、第２の実施の形態における印刷装置１のメイン処理について説明する。図２３は第２の実施の形態における印刷装置１のメイン処理のフローチャートであり、図２４はメイン処理の中で実施されるサーバ接続処理のフローチャートである。
【０１３０】
図２３に示すメイン処理は、印刷装置１に電源が投入されると開始される。そして、ＲＡＭ５６のデータエリアの初期化や印刷機構２０の動作確認等のイニシャル処理が行われる（Ｓ３０１）。そして、ユニット検出スイッチ５８の信号が検出される（Ｓ３０４）。そこで、検出された信号が示しているロール紙ユニット７０のセンサ値が、センサ値記憶エリア５６３に記憶されている以前検出されたセンサ値と同じであるか否かにより、ロール紙ユニット７０が新たにセットされたか否かの判断が行われる（Ｓ３０５）。ここで、印刷装置１の起動時にはＳ１において、センサ値記憶エリア５６３の値も初期化されているので、同じであるとは判断されず（Ｓ３０５：ＮＯ）、検出されたセンサ値がセンサ値記憶エリア５６３に記憶される（Ｓ３０６）。そして、そのロール紙ユニット７０が新しい媒体であるか否かの判断が行われる（Ｓ３０７）。この判断は、媒体情報記憶エリア５６４のセンサ値欄にそのセンサ値が記憶されており、媒体情報が登録されているか否かにより行われ、登録されている場合には、新しい媒体でないので（Ｓ３０７：ＮＯ）、何もせずにＳ３１０へ進む。
【０１３１】
また、検出されたセンサ値が媒体情報記憶エリア５６４のセンサ値欄に記憶されてない場合には、新しいロール紙ユニット７０であると判断されて（Ｓ３０７：ＹＥＳ）、サーバ接続処理が行われる（Ｓ３０８、図２４参照）。尚、印刷装置１の起動時にロール紙ユニット７０がセットされていない場合には、どのユニット検出スイッチ５８も押下されていないので、センサ値記憶エリア５６３の初期化値「００００」と同様の値を取る。そこで、この場合には、センサ値記憶エリア５６３に記憶されているセンサ値と同じであると判断されて（Ｓ３０５：ＹＥＳ）、何もせずにＳ３１０へ進む。そして、キー入力により、印刷実行が指示が成されれば（Ｓ３１０：ＹＥＳ）、印刷が実行される（Ｓ３１１）。また、印刷指示がなければ（Ｓ３１０：ＮＯ）、その他の処理が行われる（Ｓ３１６）。
【０１３２】
そして、Ｓ３０４へ戻り、再びユニット検出スイッチ５８の信号が検出される（Ｓ３０４）。ここで検出された信号が示しているロール紙ユニット７０のセンサ値が、センサ値記憶エリア５６３に記憶されている以前検出されたセンサ値と同じである場合には（Ｓ３０５：ＹＥＳ）、既に新しいロール紙ユニット７０であるか否かの判断とそれに対する処理（Ｓ３０６〜Ｓ３０８）は行われているので、何もせずにＳ３１０へ進み、印刷処理（Ｓ３１１）や、その他の処理（Ｓ３１６）が行われる。そして、Ｓ４へ戻り、繰り返しこれらの処理（Ｓ３０４〜Ｓ３１６）が行われる。
【０１３３】
次に、図２４のフローチャートを参照して、サーバ接続処理（Ｓ３０８）について説明する。まず、インターネット３５０に接続できる設定が成されているか否かの判断が行われ（Ｓ３４３）、設定が成されていれば（Ｓ３４３：ＹＥＳ）、ＲＯＭ５５に記憶されている情報に基づいてサーバ３００への接続処理が行われる（Ｓ３４４）。そして、サーバ３００に接続できたら（Ｓ３４５：ＹＥＳ）、サーバ３００へ全件の媒体情報を要求する信号が送信される（Ｓ３４６）。そして、サーバ３００から媒体情報が取得できたら（Ｓ３４７：ＹＥＳ）、取得媒体情報が媒体情報記憶エリア５６４に書き替えられる（上書き）（Ｓ３４８）。そして、検出されたロール紙ユニット７０の媒体情報が媒体情報記憶エリア５６４にあるか否かの判断が行われ（Ｓ３４９）、あれば（Ｓ３４９：ＹＥＳ）、サーバ接続処理は終了する。
【０１３４】
また、インターネット３５０に接続できる設定が成されていなかったり（Ｓ３４３：ＮＯ）、サーバ３００に接続できなかったり（Ｓ３４５：ＮＯ）、サーバ３００から媒体情報を取得できなかったり（Ｓ３４７：ＮＯ）、取得媒体情報に検出したロール紙ユニット７０の媒体情報が含まれていなかったりした場合には（Ｓ３４９：ＮＯ）、操作者に媒体情報の各項目を入力させるユーザ入力処理が行われる（Ｓ３５１〜Ｓ３５７）。そこで、まずディスプレイ５４に新規ロール紙ユニット情報入力画面（図示外、入力項目は図１１に示す新規ロール紙ユニット情報入力画面５００と同様）が表示される（Ｓ３５１）。そして、新規ロール紙ユニット情報入力画面の入力項目への入力受付処理が行われ（Ｓ３５２）、ＯＫボタンが選択されたら（Ｓ３５３：ＹＥＳ）、入力された媒体情報が媒体情報記憶エリア５６４に追加記憶される（Ｓ３５４）。また、ＯＫボタンが選択されずに（Ｓ３５３：ＮＯ）、キャンセルボタンが選択されたら（Ｓ３５６：ＹＥＳ）、ディスプレイ５４に取得エラー画面（図示外）が表示されて（Ｓ３５７）、サーバ接続処理は終了する。また、ＯＫボタンもキャンセルボタンも選択されないうちは（Ｓ３５３：ＮＯ、Ｓ３５６：ＮＯ）、Ｓ３５２へ戻り、繰り返し入力受付処理及びＯＫボタン、キャンセルボタンの受付処理（Ｓ３５２，Ｓ３５３，Ｓ３５６）が行われる。そして、ＯＫボタンが選択されて（Ｓ３５３：ＹＥＳ）、媒体情報が媒体情報記憶エリア５６４に追加記憶されたら（Ｓ３５４）、サーバ接続処理は終了する。
【０１３５】
以上のようにして、印刷するデータの編集も行う印刷装置１において、新しいロール紙ユニット７０が検出された際には、サーバ３００に接続して媒体情報が取得される。また、サーバ３００に接続できない場合には、ユーザ入力を行うことができる。尚、ＲＡＭ５６の媒体情報記憶エリア５６４が「媒体情報記憶手段」に相当し、ユニット検出スイッチ５８が「被印刷媒体検出手段」に相当し、ネットワークインターフェース２６が「接続手段」に相当し、ディスプレイ５４に表示される新規ロール紙ユニット情報入力画面が「入力手段」に相当する。また、図２３に示すメイン処理のＳ３０６，Ｓ３０７の処理を行うＣＰＵ５２が「検出媒体判断手段」に相当する。図２４に示すサーバ接続処理のＳ３４７の処理を行うＣＰＵ５２が「媒体情報取得手段」に相当し、Ｓ３４６，Ｓ３４７の処理を行うＣＰＵ５２が「全件媒体情報取得制御手段」に相当し、Ｓ３５４の処理を行うＣＰＵ５２が「入力媒体情報記憶制御手段」に相当し、Ｓ３４３，Ｓ３４７，Ｓ３４９，Ｓ３５１〜Ｓ３５７の処理を行うＣＰＵ５２が「第４入力制御手段」に相当し、Ｓ３４９の処理を行うＣＰＵ５２が「第３個別媒体情報判断手段」に相当する。
【０１３６】
尚、第２の実施の形態は、以上詳述した形態に限定されるものではなく、種々の変更が可能である。例えば、サーバ３００から取得する情報は全件の媒体情報でなくともよく、検出したロール紙ユニット７０の媒体情報であってもよい。この場合には、図２４に示すサーバ接続処理のＳ３４６において、全件の媒体情報を要求する信号でなく、特定の媒体情報（検出したロール紙ユニット７０の媒体情報）を要求する信号が送信され、サーバ３００からは指定された媒体情報が返信される。尚、これらの処理を行うＣＰＵ５２が「不足媒体情報取得制御手段」に相当する。
【０１３７】
また、サーバ３００に接続する機能のない印刷装置１では、サーバ３００接続することなくユーザ入力のみを行うようにしてもよい。この場合には、メイン処理のＳ３０７（図２３参照）において、新しい媒体であると判断された場合に、図２４に示すサーバ接続処理のＳ３５１〜Ｓ３５７の処理のみが行われる。尚、これらの処理を行うＣＰＵ５２が「第３入力制御手段」に相当する。
【０１３８】
尚、本発明は、以上詳述した実施の形態に限定されるものではなく、種々の変更が可能である。上記実施の形態では、「印刷装置」として印刷装置１を使用したが、「印刷装置」はロール紙ユニットに装填されたテープを印刷するものに限らず、カセットに装てんされたテープ、カット紙、連続用紙等を印刷する印刷装置であってもよく、印刷方法もインクジェット式、レーザ式等他の方法の印刷装置であってもよい。そして、媒体情報の各項目は被印刷媒体や印刷装置に対応したものとすればよい。また、第１の実施の形態では、「印刷データ作成装置」としてパーソナルコンピュータ２００を使用したが、「印刷データ作成装置」はパーソナルコンピュータ２００に限らず、他の形態のコンピュータであってもよい。
【産業上の利用可能性】
【０１３９】
本発明の印刷システム、印刷データ編集装置及び印刷装置は、印刷装置で印刷を行うため印刷データを作成するパーソナルコンピュータ等に利用可能であり、自身で印刷データを作成する印刷装置においても利用可能である。
【図面の簡単な説明】
【０１４０】
【図１】第１の実施の形態の印刷システム４０１のシステム構成図である。
【図２】印刷装置１のカバー５を開放した斜視図である。
【図３】印刷装置１で印刷されるロール紙ユニット７０の斜視図である。
【図４】印刷装置１の断面図である。
【図５】印刷装置１の電気的構成を示すブロック図である。
【図６】印刷装置１のＲＡＭ５６の記憶エリアを示す模式図である。
【図７】パーソナルコンピュータ２００の電気的構成を示すブロック図である。
【図８】パーソナルコンピュータ２００のＨＤＤ２５０の記憶エリアを示す模式図である。
【図９】パーソナルコンピュータ２００のＲＡＭ２３０の記憶エリアを示す模式図である。
【図１０】媒体情報記憶エリア２５３の模式図である。
【図１１】新規ロール紙ユニット情報入力画面５００のイメージ図である。
【図１２】印刷装置１のメイン処理のフローチャートである。
【図１３】印刷装置１のメイン処理の中で行われる印刷処理のフローチャートである。
【図１４】印刷装置１のメイン処理の中で行われる媒体情報取得処理のフローチャートである。
【図１５】パーソナルコンピュータ２００のメイン処理のフローチャートである。
【図１６】パーソナルコンピュータ２００のメイン処理の中で行われる全件チェック処理のフローチャートである。
【図１７】パーソナルコンピュータ２００のメイン処理の中で行われる不足要求処理のフローチャートである。
【図１８】パーソナルコンピュータ２００のメイン処理の中で行われる印刷処理のフローチャートである。
【図１９】第１の実施の形態の第１変形例のパーソナルコンピュータ２００のメイン処理の中で行われる不足要求処理のフローチャートである。
【図２０】第１の実施の形態の第６変形例の印刷装置１のメイン処理の中で行われる媒体情報取得処理のフローチャートである。
【図２１】第２の実施の形態の印刷システム４０２のシステム構成図である。
【図２２】第２の実施の形態の印刷装置１の電気的構成を示すブロック図である。
【図２３】第２の実施の形態の印刷装置１のメイン処理のフローチャートである。
【図２４】第２の実施の形態の印刷装置１のメイン処理の中で実施されるサーバ接続処理のフローチャートである。
【符号の説明】
【０１４１】
１  印刷装置
２５  ＵＳＢポート
２６  ネットワークインターフェース
５０  入出力インターフェース
５２  ＣＰＵ
５４  ディスプレイ
５６  ＲＡＭ
５８  ユニット検出スイッチ
６０  媒体種類表示部
６１  識別穴
７０  ロール紙ユニット
７１  テープ
２００  パーソナルコンピュータ
２１０  ＣＰＵ
２３０  ＲＡＭ
２３１  印刷データ記憶エリア
２３４  追加媒体情報記憶エリア
２３５  ユーザ入力情報記憶エリア
２５０  ＨＤＤ
２５３  媒体情報記憶エリア
２５４  サーバ接続情報記憶エリア
２６０  ＵＳＢインタフェース
２６５  ネットワークインターフェース
３００  サーバ
３５０  インターネット
４０１  印刷システム
４０２  印刷システム
５００  新規ロール紙ユニット情報入力画面
５６４  媒体情報記憶エリア
６１１  識別穴
６１２  識別穴
６１３  識別穴
６１４  識別穴
６１５  識別穴
【図１】
2005258858.tif 000003
【図２】
2005258858.tif 000004
【図３】
2005258858.tif 000005
【図４】
2005258858.tif 000006
【図５】
2005258858.tif 000007
【図６】
2005258858.tif 000008
【図７】
2005258858.tif 000009
【図８】
2005258858.tif 000010
【図９】
2005258858.tif 000011
【図１０】
2005258858.tif 000012
【図１１】
2005258858.tif 000013
【図１２】
2005258858.tif 000014
【図１３】
2005258858.tif 000015
【図１４】
2005258858.tif 000016
【図１５】
2005258858.tif 000017
【図１６】
2005258858.tif 000018
【図１７】
2005258858.tif 000019
【図１８】
2005258858.tif 000020
【図１９】
2005258858.tif 000021
【図２０】
2005258858.tif 000022
【図２１】
2005258858.tif 000023
【図２２】
2005258858.tif 000024
【図２３】
2005258858.tif 000025
【図２４】
2005258858.tif 000026